(57)【要約】  医療／外科用廃棄物収集システムのためのマニホールド。出口開口及び接続具がハウジング内のマニホールド空間と流体連通している。接続具は、吸引ラインを受け入れるようになっている。多孔性特徴部を有するフィルタ要素がハウジング内に配置され、フィルタ要素を横切る流体連通経路が確立される。多孔性特徴部が流体内に混入された材料を捕捉する。材料収集空間が、フィルタ要素の遠位側において該フィルタ要素の下方に少なくとも部分的に位置している。流体及び材料が流体連通経路を通って吸い込まれた時、材料が材料収集空間内に収集される。材料を材料収集空間に向かって導くために、分流器がハウジング内に配置されてもよい。材料収集空間は、ハウジングに取外し可能に連結される組織トラップによって少なくとも部分的に画定されてもよい。
2020509886.tif 000002
【特許請求の範囲】
【請求項１】
医療／外科用廃棄物収集システムのためのマニホールドであって、
マニホールド空間を画定する少なくとも１つの側壁と遠位端を画定する遠位部分とを備えるハウジングであって、前記遠位部分の前記遠位端から近位側に延在する長軸を備える、ハウジングと、
前記ハウジングの近位部分内に位置し、前記マニホールド空間と流体連通する出口開口と、
前記ハウジング内に位置するフィルタ要素であって、基部と、前記出口開口に対して前記基部の反対側に位置する口部と、前記基部と前記口部との間に延在するバスケットと、前記バスケット内の多孔性特徴部と、を備える、フィルタ要素と、
前記マニホールド空間と流体連通する孔を画定する少なくとも１つの接続具であって、前記接続具は、流体を前記マニホールド空間内に吸い込むための吸引ラインを受け入れるように構成され、前記接続具の前記孔から前記マニホールド空間を通り、前記フィルタ要素を横切って前記出口開口に至る流体連通経路が確立され、前記多孔性特徴部は，前記流体が前記流体連通経路を通って吸い込まれた時に前記流体内に混入された材料を捕捉するように、構成されている、少なくとも１つの接続具と、
前記ハウジング内に材料収集空間を少なくとも部分的に画定するために、前記少なくとも１つの側壁から下方に延在する突出部であって、前記材料収集空間は、前記接続具の前記孔と前記フィルタ要素の前記口部との間に軸方向に少なくとも部分的に位置し、前記長軸に対して前記フィルタ要素の前記バスケットの反対側に更に位置し、前記流体及び前記材料が前記流体連通経路を通って吸い込まれた時、前記材料が前記材料収集空間内に収集される、突出部と、
を備える、マニホールド。
【請求項２】
前記突出部は、前記少なくとも１つの側壁から下方に延在する第１の表面と、前記第１の表面から前記ハウジングの前記遠位端に遠位側に延在する第２の表面とを更に備え、前記第１及び第２の表面は、前記材料収集空間の少なくとも一部を画定している、請求項１に記載のマニホールド。
【請求項３】
前記突出部から構成される組織トラップを更に備え、前記組織トラップ及び前記ハウジングは、前記材料収集空間内に収集された前記材料の回収を可能にするために、前記組織トラップを前記ハウジングに取外し可能に連結する相補的連結機構を備える、先行する請求項のいずれかに記載のマニホールド。
【請求項４】
前記ハウジング内に分流器を更に備え、前記分流器は、前記接続具の前記孔と前記流体連通経路内に配置される前記フィルタ要素の前記口部との間に軸方向に位置し、前記分流器は、前記流体連通経路を通って吸い込まれた前記流体及び前記材料の少なくとも一部を前記材料収集空間に向かって導くように構成されている、先行する請求項のいずれかに記載のマニホールド。
【請求項５】
前記分流器は、前記ハウジングに連結されたバッフルである、請求項４に記載のマニホールド。
【請求項６】
前記分流器の遠位面に連結された保持部材を更に備え、前記保持部材は、前記流体連通経路内の破片を保持するように構成されている、請求項４又は５に記載のマニホールド。
【請求項７】
前記保持部材は、ピンである、請求項６に記載のマニホールド。
【請求項８】
前記フィルタ要素は、前記バスケットに連結されたスノーケルを更に備え、前記スノーケルは、前記接続具の前記孔と前記フィルタ要素の前記口部との間に軸方向に少なくとも部分的に位置し、前記長軸に対して前記材料収集空間の反対側に更に位置し、前記バスケット及び前記スノーケルは、各々、前記多孔性特徴部を備える、先行する請求項のいずれかに記載のマニホールド。
【請求項９】
前記スノーケルは、管状壁及び前記管状壁の端に連結された遠位面を備える、請求項８に記載のマニホールド。
【請求項１０】
前記スノーケルの前記多孔性特徴部は、前記遠位面及び前記管状壁を貫通している、請求項９に記載のマニホールド。
【請求項１１】
前記バスケットは、バスケット空洞を画定し、前記スノーケルは、スノーケル空洞を画定し、前記空洞は、それぞれ、前記出口開口と流体連通し、互いに分離されており、前記孔から前記スノーケル空洞を通って前記出口開口に至る第２の流体連通経路が確立されている、請求項８−１０のいずれかに記載のマニホールド。
【請求項１２】
前記ハウジングに連結され、前記ハウジングの外面から半径方向外方に延在するブリスタを更に備え、前記ブリスタは、前記マニホールドが前記医療／外科用廃棄物収集システムに動作可能に連結されるのに応じて圧縮され、前記医療／外科用廃棄物収集システムに対する前記マニホールドの回転を防ぐように、構成されている、先行する請求項のいずれかに記載のマニホールド。
【請求項１３】
前記バスケットは、円筒状であり、前記円筒状バスケットから延在する環状ヘッドを更に備え、前記環状ヘッドは、前記多孔性特徴部を備える、先行する請求項のいずれかに記載のマニホールド。
【請求項１４】
前記環状ヘッドは、円錐台の形状にある、請求項１３に記載のマニホールド。
【請求項１５】
医療／外科用廃棄物収集システムのためのマニホールドであって、
マニホールド空間を画定する少なくとも１つの側壁を備えるハウジングと、
前記マニホールド空間と流体連通する出口開口と、
前記ハウジング内に位置するフィルタ要素であって、基部と、前記出口開口に対して前記基部の反対側に位置する口部と、前記基部と前記口部との間に延在するバスケットと、前記バスケット内の多孔性特徴部と、を備える、フィルタ要素と、
前記マニホールド空間と流体連通する孔を画定する少なくとも１つの接続具であって、前記接続具は、流体を前記マニホールド空間内に吸い込むための吸引ラインを受け入れるように構成され、前記接続具の前記孔から前記マニホールド空間を通り、前記フィルタ要素を横切って前記出口開口に到る流体連通経路が確立され、前記フィルタ要素の前記多孔性特徴部は、前記流体が前記流体連通経路を通って吸い込まれた時に前記流体に混入された材料を捕捉するように、構成されている、少なくとも１つの接続具と、
前記ハウジングの遠位部分に取外し可能に連結され、前記少なくとも１つの接続具の前記孔と前記フィルタ要素の前記口部との間に軸方向に少なくとも部分的に位置する組織トラップであって、前記組織トラップは、前記フィルタ要素の下方に材料収集空間を画定し、前記流体及び前記材料が前記流体連通経路を通って吸い込まれた時、前記材料が前記組織トラップ内に収集される、組織トラップと、
を備える、マニホールド。
【請求項１６】
前記組織トラップ及び前記ハウジングは、前記組織トラップ内に収集された前記材料の回収を可能にするために、前記組織トラップを前記ハウジングに取外し可能に連結する相補的連結特徴部を更に備える、請求項１５に記載のマニホールド。
【請求項１７】
前記組織トラップは、実質的に円錐状又はピラミッド状である、請求項１５又は１６に記載のマニホールド。
【請求項１８】
前記組織トラップは、少なくとも部分的に透明であり、前記組織トラップ内に収集された前記材料の体積を特定するための目盛を更に備える、請求項１５−１７のいずれかに記載のマニホールド。
【請求項１９】
前記フィルタ要素は、前記バスケットに連結されたスノーケルを更に備え、前記スノーケルは、前記接続具の前記孔と前記フィルタ要素の前記口部との間に軸方向に少なくとも部分的に位置し、前記長軸に対して前記材料収集空間の反対側に更に位置し、前記バスケット及び前記スノーケルは、各々、前記多孔性特徴部を備える、請求項１５−１８のいずれかのいずれかに記載のマニホールド。
【請求項２０】
前記スノーケルは、管状壁及び前記管状壁の端に連結された遠位面を備える、請求項１９に記載のマニホールド。
【請求項２１】
前記スノーケルの前記多孔性特徴部は、前記遠位面及び前記管状壁を貫通している、請求項２０に記載のマニホールド。
【請求項２２】
前記バスケットは、バスケット空洞を画定し、前記スノーケルは、スノーケル空洞を画定し、前記空洞は、それぞれ、前記出口開口と流体連通し、互いに分離しており、前記孔から前記スノーケル空洞を通って前記出口開口に至る第２の流体連通経路が確立されている、請求項２０又は２１に記載のマニホールド。
【請求項２３】
前記ハウジング内に分流器を更に備え、前記分流器は、前記接続具の前記孔と前記流体連通経路内に配置される前記フィルタ要素の前記口部との間に軸方向に位置し、前記分流器は、前記流体連通経路を通って吸い込まれた前記流体及び前記材料の少なくとも一部を前記材料収集空間に向かって導くように構成されている、請求項１５−２２のいずれかに記載のマニホールド。
【請求項２４】
医療／外科用廃棄物収集システムのためのマニホールドであって、
マニホールド空間を画定するハウジングと、
前記マニホールド空間と流体連通する出口開口と、
前記マニホールド空間と流体連通する孔を画定する少なくとも１つの接続具と、
前記ハウジング内に位置するフィルタ要素であって、前記フィルタ要素は、基部と、前記出口開口に対して前記基部と反対側に位置する口部と、前記基部と前記口部との間に延在し、前記出口開口と流体連通するバスケット空洞を画定するバスケットとを備え、前記接続具の前記孔から前記マニホールド空洞を通り、前記バスケットを横切って前記出口開口に至る流体連通経路が確立されている、フィルタ要素と、
前記バスケットに連結されたスノーケルであって、前記スノーケルは、前記接続具の前記孔と前記フィルタ要素の前記口部との間に軸方向に少なくとも部分的に位置し、前記スノーケルは、前記出口開口と流体連通するスノーケル空洞を画定し、前記スノーケル空洞は、前記バスケット空洞から分離しており、前記バスケット及び前記スノーケルは、各々、前記多孔性特徴部を備える、スノーケルと、
を備える、マニホールド。
【請求項２５】
前記孔から前記スノーケルの前記スノーケル空洞を通って前記出口開口に至る第２の流体連通経路が確立され、前記バスケットの前記多孔性特徴部の実質的に全てが捕捉された前記材料によって閉塞され、且つ前記バスケット空洞が前記材料によって実質的に満たされた後、前記第２の流体連通経路を通る吸引が維持され、前記流体を前記第２の流体連通経路内に吸い込むようになっている、請求項２４に記載のマニホールド。
【請求項２６】
前記スノーケルは、管状壁及び前記管状壁に連結された遠位面を備え、前記スノーケルは、前記フィルタ口部に対して略凸状であり、前記フィルタバスケットは、前記フィルタ口部に対して略凹状である、請求項２４又は２５に記載のマニホールド。
【請求項２７】
前記フィルタ口部は、フィルタ口面を画定し、前記スノーケルは、、前記フィルタ口面から遠位側に延在し、前記フィルタバスケットは、前記フィルタ口面から近位側に延在している、請求項２４−２６のいずれかに記載のマニホールド。
【請求項２８】
前記突出部から構成される組織トラップを更に備え、前記組織トラップ及び前記ハウジングは、前記材料収集空間内に収集された材料の回収を可能にするために、前記組織トラップを前記ハウジングに取外し可能に連結する相補的連結特徴部を備える、請求項２４−２７のいずれかに記載のマニホールド。
【発明の詳細な説明】
【技術分野】
【０００１】
［関連出願の相互参照］
本願は、２０１７年３月１７日に出願された米国仮特許出願第６２／４７２，９６９号の優先権及び全ての利得を主張するものであり、その開示内容は、参照することによって、その全体がここに含まれるものとする。
【０００２】
［発明の分野］
本開示は、一般的に、外科手術中に生じる廃棄物を収集するためのシステム及び方法に関する。更に詳細には、制限されるものではないが、本開示は、流体流れ内に混入された廃棄物が医療／外科用廃棄物収集システムの作動を妨げる可能性を低減させる医療／外科用廃棄物収集システムのためのマニホールドに関する。
【背景技術】
【０００３】
一部の医療及び外科手術の副産物として、液体廃棄材料、半固形廃棄材料、及び固形廃棄材料が生じる。液体廃棄材料の例として、血液のような体液、及び手術が行われる外科部位に導かれる潅注溶液が挙げられる。手術中に生じる固形及び半固形廃棄物の例として、組織の細片及び外科部位に存在する手術用材料の破片が挙げられる。廃棄物による外科部位の汚損を生じさせず、また手術室又は手術が行われる他の箇所に廃棄物による生物学的危害を生じさせないために、廃棄物は、その相に関わらず、生成時に理想的に収集されるようになっている。
【０００４】
外科部位における廃棄物を収集するための周知のシステムは、典型的には、吸引源と、吸引源から延在するチューブと、チューブと吸引源との間に位置する容器と、を備えている。システムが作動すると、廃棄物は、チューブの開端を通して吸い込まれる。吸引によって、廃棄物は、チューブ内に吸い込まれ、容器内に流れ、該容器内に一時的に貯留される。例示的な１つのシステムは、Srtyker Corporation (Kalamazoo, Mich)によって「Neptune」の商標で市販されている外科用廃棄物収集システムである。このシステムのいくつかのバージョンは、吸引ポンプ及び少なくとも１つのキャニスタを備える可動ユニットを備えている。可動ユニットによって、システムを患者の比較的近くに配置することができ、これによって、（常に手術室の乱雑さをもたらす傾向にある）吸引チューブが外科医を妨げる程度を低減させることができる。このシステムのいくつかのバージョンの特徴の更なる詳細は、共同所有の特許文献１，２に開示されている。これらの文献の内容は、参照することによって、それらの全体がここに含まれるものとする。
【０００５】
液体廃棄物内に混入された半固形及び固形廃棄物の収集に付随して、技術的な課題が生じることが容易に理解されるだろう。医療／外科用廃棄物システムの下流の構成部品を詰まらせる可能性のある半固形及び固形廃棄物を捕捉するためのフィルタ要素を備えるマニホールドが設けられるとよい。更に、マニホールドは、一回使用品から形成されているとよく、これによって、マニホールド及びその入り組んだ副次的構成部品を殺菌する必要性を排除することができる。その結果、使用されたマニホールドを扱う外科医は、この構成部品を廃棄する時、この構成部品の外面にしか接触せず、これによって、システムによって収集された廃棄物への外科医の曝露を低減又は排除することができる。
【０００６】
時間と共に、液体廃棄物内に混入された半固形及び固形廃棄物は、フィルタ要素を詰まらせることになる。フィルタ要素が詰まると、その結果、マニホールドを通る吸引レベルが著しく低下し、外科部位の吸引損失が生じる可能性もある。もし完全な吸引損失が生じたなら、手術を中断し、マニホールドを交換する必要がある。外科手術の中断は、患者が麻酔下にある時間を最小限に抑えると共に通常は隠れている内部組織の開環境への露出を制限するために手術を可能な限り迅速に行うという、最新外科処置の方針に反することになる。
【先行技術文献】
【特許文献】
【０００７】
【特許文献１】米国特許出願公開第２００７／０１３５７７９号明細書
【特許文献２】国際特許出願公開第２００７／０７６０５７０号パンフレット
【発明の概要】
【発明が解決しようとする課題】
【０００８】
従って、当業界において、前述の欠点の１つ又は複数を解消する医療／外科用廃棄物収集システムのためのマニホールドが必要とされている。
【課題を解決するための手段】
【０００９】
本開示は、医療／外科医用廃棄物収集ユニットと共に用いられる新規の有用なマニホールドに向けられている。本開示のマニホールドは、流体内に混入された比較的多量の（「材料」とも呼ばれる）半固形及び固形廃棄材料を収容するように設計されている。一態様では、マニホールドは、フィルタ要素に達する材料の量を低減するようになっている。他の態様では、マニホールドは、いったんフィルタ要素が詰まり始めた時点でも材料を収容し得るより大きい収容能力を備えている。いずれの態様においても、本開示のマニホールドは、所定時間の経過後にマニホールドが詰まる傾向を低減すると共に、その作動寿命を延ばすことになる。
【００１０】
マニホールドは、マニホールド空間を画定する少なくとも１つの側壁と遠位端を画定する遠位部分とを有するハウジングであって、遠位部分の遠位端から近位側に延在する長軸を備える、ハウジングを備えている。出口開口が、ハウジングの近位部分内に位置し、マニホールド空間と流体連通している。マニホールドは、ハウジング内にフィルタ要素を備えている。フィルタ要素は、基部と、出口開口に対して基部の反対側に位置する口部と、基部と口部との間に延在するバスケットと、バスケット内の多孔性特徴部とを備えている。孔を画定する少なくとも１つの接続具が、マニホールド空間と流体連通している。接続具は、流体をマニホールド空間内に吸い込むための吸引ラインを受け入れるように構成されている。接続具の孔からマニホールド空間を通り、フィルタ要素を横切って出口開口に至る流体連通経路が確立されている。多孔性特徴部は、流体が流体連通経路を通って吸い込まれた時に流体内に混入された材料を捕捉するように、構成されている。材料収集空間をハウジング内に少なくとも部分的に画定するために、突出部が少なくとも１つの側壁から下方に延在している。材料収集空間は、接続具の孔とフィルタ要素の口部との間に軸方向に位置し、長軸に対してフィルタ要素のバスケットと反対側に更に位置している。流体及び材料が流体連通経路を通って吸い込まれた時、材料は、フィルタ要素の口部に達する前に材料収集空間内に収集されることになる。
【００１１】
マニホールドは、材料収集空間を画定する組織トラップを備えていてもよい。組織トラップは、材料収集空間内に収集された材料の回収を可能にするために、相補的連結特徴部によってハウジングに取外し可能に連結されていてもよい。組織トラップは、実質的に円錐状又はピラミッド状であってもよい。組織トラップは、少なくとも部分的に透明であってもよく、組織トラップ内に収集された材料の量を特定するための目盛を更に備えていてもよい。
【００１２】
フィルタ要素は、バスケットに連結されて少なくとも部分的に接続具の孔とフィルタ要素の口部との間に軸方向に位置する、スノーケルを備えていてもよい。スノーケルは、出口開口と流体連通するスノーケル空洞であって、フィルタ要素のバスケットによって画定されるバスケット空洞と分離されたスノーケル空洞を画定していてもよい。フィルタ要素は、バスケット及びスノーケルの各々内に多孔性特徴部を備えている。孔からスノーケルのスノーケル空洞を通って出口開口に至る第２の流体連通経路が確立されている。バスケットの多孔性特徴部の実質的に全てが捕捉された材料によって閉塞され、且つバスケット空洞が材料によって実質的に満たされた後、第２の流体連通経路を通る吸引が維持され、流体を第２の流体連通経路を通して吸い込むようになっている。
【００１３】
マニホールドは、接続具の孔とフィルタ要素の口部との間に軸方向に位置するようにハウジング内に配置された分流器を備えていてもよい。分流器は、流体連通経路内に位置している。分流器は、流体連通経路を通して吸い込まれた流体及び材料の少なくとも一部を材料形成空間に向かって導くようになっている。分流器は、マニホールドの長軸に対して非直角に配向されたバッフルを備えていてもよい。
【００１４】
フィルタ要素のバスケットは、円筒状であってもよく、円筒状バスケットから延在する環状ヘッド備えていてもよい。環状ヘッドは、円錐台の形状にあってもよく、多孔性特徴を備えていてもよい。
【００１５】
本発明の利点は、添付の図面と関連付けて以下の詳細な説明を参照することによってより理解されたなら、容易に明らかになるだろう。
【図面の簡単な説明】
【００１６】
【図１】本開示のマニホールドが連結された医療／外科用廃棄物収集システムを示す図である。
【図２】医療／外科用廃棄物収集ユニットのマニホールド受器内に着座した状態にある本開示の例示的実施形態によるマニホールドの断面図である。
【図３】図２のマニホールド受器の斜視図である。
【図４】図２のマニホールドの斜視図である。
【図５】マニホールド受器が取り外された図２のマニホールドの断面図である。
【図６】図４のマニホールドの近位部分の斜視図である。
【図７】図４のマニホールドの遠位部分の斜視図である。
【図８】図４のマニホールドのハウジング内に配置された図２に示されるフィルタ要素の遠位側斜視図である。
【図９】図８のフィルタ要素の近位側斜視図である。
【図１０】図２のフィルタ要素の断面図である。
【図１１】材料収集空間及びマニホールドを通る廃棄物の流れを概略的に示す図４のマニホールドの立面図である。
【図１２】本開示の他の例示的実施形態によるマニホールドの斜視図である。
【図１３】図１２のマニホールドの断面図である。
【図１４】図１２のマニホールドのハウジング内に配置された図１３に示されるフィルタ要素の遠位側斜視図である。
【図１５】図１４のフィルタ要素の後方斜視図である。
【図１６】図１４のフィルタ要素の遠位側平面図である。
【図１７】材料収集空間及びマニホールドを通る廃棄物の流れを概略的に示す図１２のマニホールドの立面図である。
【図１８】本開示の他の例示的実施形態によるマニホールドの斜視図である。
【図１９】図１８のマニホールドの断面図である。
【図２０】図１８のマニホールドの遠位側斜視図である。
【図２１】分流器の斜視図である。
【図２２】図２１の分流器の遠位側斜視図である。
【図２３】図２１の分流器の近位側斜視図である。
【発明を実施するための形態】
【００１７】
図１は、医療／外科用廃棄物収集システム２０を示している。廃棄物収集システム２０は、可動ユニット２２を支持するための基部２４を有する可動ユニット２２を備えているとよい。可動ユニット２２の通常隠れている構成部品を見えるようにするために、基部２４に通常連結されているいくつかのカバー及びドアアセンブリは、図１において省略されている。廃棄物収集システム２０に可動性、例えば、床面に沿った可動性をもたらすために、車輪２６が基部２４の底に取付けられている。２つのキャニスタ２８，３０が基部２４上に支持されている。第１のキャニスタ２８は、比較的大きな内容積、例えば、略１０−４０Ｌの間の内容積を有している。第２のキャニスタ３０は、キャニスタ２８の上方に配置されている。第２のキャニスタ３０は、より小さい内容積、例えば、略１−１０Ｌの間の内容積を有している。いくつかの構成では、１つのみのキャニスタが用いられてもよい。
【００１８】
廃棄物収集システム２０は、キャニスタ２８，３０の上部３６，３８に連結されたマニホールド受器４０を備えている。マニホールド受器４０は、後述のマニホールド６０，１６８，２４２を取外し可能に受け入れるように構成されている。具体的には、図２，３に最もよく示されるように、各マニホールド受器４０は、孔４４を有するように形成されている。孔４４は、近位端が閉じられ、遠位端が開いている。孔４４の近位端から前方に延在する接続具４９が、マニホールド受器４０内に配置されている。導管４２が接続具４９から延在している。導管４２によって、マニホールド６０，１６８，２４２から（マニホールド受器４０に関連付けられる）キャニスタ２８，３０への流体連通が確立される。
【００１９】
マニホールド受器４０は、孔４４の遠位開端を画定するカラー４１を備えているとよく、マニホールド６０，１６８，２４２は、カラー４１を通って受器４０内に挿入されるようになっている。図３に示されるように、カラー４１は、２つの外方に延在する長孔４３，４５を画定するように、更に形成されている。長孔４３の１つは、長孔４５の他の１つによって画定される円弧よりも大きい円弧を画定している。少なくとも１つの溝４７が、長孔４３，４５の各々の近位端に配置されている。１つ又は複数の溝４７は、長孔４３，４５の近位端間において孔４４から外方に延在している。
【００２０】
マニホールド６０，１６８，２４２は、後述の方法によって（図１に示される）少なくとも１つの吸引ライン５０を受け入れるように構成されている。各吸引ライン５０の遠位端は、吸引アプリケータ４８に取り付けられている。図１は、吸引を印加するように専用に設計されたハンドピースとしての吸引アプリケータ４８を示している。吸引アプリケータ４８は、他の形態を取ってもよく、例えば、吸引に加えて外科処置を行うために外科部位に用いられる他の外科工具（例えば、エンドスコープ、融除工具、等）に組み込まれるような他の形態を取ってもよいことを理解されたい。
【００２１】
医療／外科用廃棄物収集システム２０は、吸引ポンプ５８を更に備えている。（図１において破線によって示される）導管５４，５６は、キャニスタ２８，３０の各々を吸引ポンプ５８の入口ポートに流体連通している。吸引ポプ５８が作動されると、生じた吸引によって、物質がマニホールド６０，１６８，２４２及びマニホールド受器４０を通ってキャニスタ２８，３０の１つ又は両方に吸い込まれる。廃棄材料は、流れからキャニスタ２８，３０内に沈降し、廃棄物は、空にされるまで貯留される。ガス、及び場合によってはガスに混入された廃棄材料の破片が吸引ポンプ５８に向かって導かれることもある。流れが吸引ポンプ５８内に吸い込まれ、そこから排出される前に、例えば、ウイルス及び微生物の大きさの物質を捕捉するために（図示されない）追加的なフィルタが流体連通経路内に配置されてもよい。前述したように、マニホールド受器４０の記載を含む医療／外科用廃棄物収集システム２０の態様は、共同所有の米国特許出願公開第２００７／０１３５７７９号及び国際特許出願公開第２００７／０７６０５７０号（特許文献１，２）に開示されている。これらの文献は、参照することによって、それらの全体がここに含まれるものとする。
【００２２】
［Ｉ．第１の実施形態］
以下、図２，４，５を参照すると、マニホールド６０は、遠位部分８８及び近位部分６４を有するハウジング６２を備えている。本明細書において用いられる「遠位側（distal）Ｄ」という用語は、吸引が印加される外科部位に向かう側を意味し、「近位側（proximal）Ｐ」という用語は、外科部位から離れる側を意味している（図５，１３，１９参照）。換言すれば、近位部分６４及び遠位部分８８は、マニホールド６０のハウジング６２の少なくとも１つの側壁を形成している。ハウジング６２の側壁は、後で詳述するマニホールド６０のマニホールド空間６５を画定する。図６，７を更に参照すると、近位部分６４は、（遠位部分８８に連結されない時に）開端を有し、遠位部分８８は、近位部分６４の開端を覆うように構成されている。近位部分６４は、略管状又は円筒状であるとよい。近位部分６４は、マニホールド受器４０の孔４４内に着座するように寸法決めされている。近位部分６４は、マニホールド６０の近位端を画定する基部プレート６６を有するように、更に形成されている。マニホールド６０は、ハウジング６２の近位端に又は該近位端に隣接してマニホールド空間６５に流体連通する出口開口６８を備えている。図示される実施形態では、基部プレート６６は、出口開口６８を画定するように形成されている。出口開口６８は、マニホールド受器４０内の接続具４９を受け入れるように寸法決めされている。滴ストッパ７０が、出口開口６８を覆って配置されているとよい。マニホールド６０がマニホールド受器４０から取り外されている時、滴ストッパ７０は、出口開口６８からの追加的な流体流れの流出を防ぐことになる。
【００２３】
図６，７を更に参照すると、円弧に沿って互いに離間した多数のタブ７２が、近位部分６４の遠位端から遠位側前方に延在しているとよい（図６において３つのタブに部番が付されている）。タブ７２のいくつかは、他のタブと異なる円弧を画定しているとよく、タブ７２のいくつかは、互いに異なる円弧長さを有しているとよい。タブ７２は、遠位部分８８に対する近位部分６４の位置合せ及び固定を容易にするものである。また、近位部分６４は、近位部分６４の外面から半径方向外方に延在するリップ７４を有するように、形成されている。リップ７４は、典型的には、近位部分６４の遠位端から１ｃｍ未満の位置に配置されている。遠位部分８８は、近位部分６４の遠位端に着座するように寸法決めされたチューブ状ネック９０を備えているとよい。多数のリブ９２が、ネック９０の内面から内方に延在しているとよい（図７において２つのリブに部番が付されている）。タブ７２及びリブ９２は、連携して、近位部分６４がネック９０内に挿入された時に近位部分６４が遠位部分８８に対して正確に回転位置合せされることを確実にするように、配置されている。近位部分６４及びネック９０は、近位部分６４がネック９０内に挿入された時にリップ７４が遠位部分８８の内壁に当接し、近位部分６４と遠位部分８８との間の漏れを最小限に抑えるように、更に寸法決めされている。遠位部分８８は、ネック９０の外面から半径方向外方に突出するタブ９５，９７も備えているとよい。タブ９５，９７は、ネック９０の近位端のすぐ前方の位置から外方に延在している。タブ９５，９７は、種々の長さの円弧を画定しているとよい。タブ９５の１つは、１つの長孔４３内に着座するように寸法決めされ、タブ９７の他の１つは、他の長孔４５内に着座するように寸法決めされている。タブ９５，９７は、長孔４３，４５の近位端から円弧状に延在する溝４７内において回転するように、更に寸法決めされている。長孔４３，４５内へのタブ９５，９７の着座によって、マニホールド６０がマニホールド受器４０内に着座される時、孔４４内におけるマニホールド６０の適切な回転配向が助長されることになる。タブは、いくつかの形態において省略されてもよいし、又は明示的に記載されている前述の形態以外の形態を取ってもよい。
【００２４】
図４は、ネック９０の遠位側にヘッド９６を備えるように形作られた遠位部分８８を示している。ヘッド９６は、任意選択的に、上側区域９８及び下側区域１０２を備えているとよい。上側区域９８は、ネック９０の延長部である。換言すれば、上側区域９８は、ネク９０と同じ曲率半径を有し、概して、連続構造体と見なされる。下側区域１０２は、上側区域９８の下方に位置し、ネック９０の隣接部分から外方に突出している。図示される実施形態では、移行パネル９９が、下側区域１０２とネック９０の隣接部分との間に延在している。移行パネル９９は、後述のマニホールド６０の突出部１０７を少なくとも部分的に画定しているとよい。
【００２５】
マニホールド６０の遠位区域８８は、マニホールド６０の遠位端を画定する面プレート１１０を備えているとよい。マニホールド６０は、遠位端に少なくとも１つの接続具１１２を備えているとよい。１つ又は複数の接続具１１２は、１つ又は複数の吸引ライン５０を受け入れるように構成されている。図示される実施形態では、マニホールド６０は、４つの接続具１１２を備えている。これらの接続具１１２は、面プレート１１０から遠位側に延在しているとよい。接続具１１２は、マニホールド空間６５と流体連通する孔を画定し、更に具体的には、この孔は、面プレート１１０のすぐ近位側においてマニホールド空間６５内に開いている。吸引ライン５０が接続具１１２に連結されているので、材料及び流体は、外科部位からマニホールド６５内に吸い込まれることになる。マニホールド６０は、面プレート１１０から前方に延在するフェンスパネル１１４を更に備えているとよい。フェンスパネル１１４は、マニホールド受器４０内に最初に配置される時にマニホールド６０を手で扱うことを可能にするフィンガーホールドとして機能する一連の矩形状段付き壁構造を有している。接続具１１２は、フェンスパネル１１４の遠位側前方に延在している。
【００２６】
以下、図５及び図８−１０を参照して、ハウジング６２内に配置されたフィルタ要素１１８について説明する。フィルタ要素１１８はハウジング６２に取外し可能に連結されているとよい。フィルタ要素１１８は、フィルタ要素１１８の近位端を形成する基部１２２とフィルタ要素１１８の遠位端を形成する口部１２３との間に画定されたバスケット１２０を備えている。図示される実施形態では、バスケット１２０は、基部１２２と口部１２３とに間に延在する管状スリーブ１２４を形成するために、完全とは言えないが、略円筒状になっている。ハウジング６２内に配置された時、基部１２２を備えるスリーブ１２４の少なくとも一部は、近位部分６４内に位置する。いくつかの実施形態では、フィルタ要素１１８は、スリーブ１２４の外面から外方又は半径方向に突出する１つ又は複数のリブ１２８を備えている。リブ１２８は、スリーブ１２４の外面に沿って長手方向に延在している。リブ１２８は、リブ１２８が半径方向に整列してハウジング６２内にフィルタ要素１１８を支持するように、近位部分６４の内径に合わせて寸法決めされている。フィルタ要素１１８とハウジング６２との間の回転位置合せは、スリーブ１２４の口部１２３の近くで外方に突出するタブ１３０によって、助長される。フィルタ要素１１８は、図８に示されるように、平行軸上にある２対のタブ１３０によって組み込まれるとよい。タブ１３０は、近位部分６４に対するフィルタ要素１１８の回転を防ぐために、近位部分６４と一体化されたリブ９２（図７参照）間に着座されるように構成されている。フィルタ要素１１８は、スリーブ１２４の口部１２３から遠位側前方に延在する追加的なタブ１３４を更に備えているとよい。これらのタブ１３４は、Ｌ字状に形作られ、バスケット１２０によって画定された円の周囲に種々の円弧を画定しているとよい。各タブ１３４の遠位部分は、近位部分から半径方向外方に延在し、且つスリーブ１２４に対して軸方向遠位側に延在している。タブ１３４は、遠位部分８８内のリブ９２間に着座されるように構成されている（図７参照）。リブ９２及びタブ１３４は、連携して、マニホールド６０が組み立てられた時、バスケット１２０が近位部分６４内のマニホールド空間６３及び遠位部分８８内の（後述の）材料収集空間１０６に対して適切な角方位にあるように、形成されている。フィルタ要素１１８は、口部１２３の近くにおいてスリーブ１２４の周りに延在する溝１２６を画定するように更に形成されているとよい。溝１２６は、フィルタ要素１１８とハウジング６２との間に密封界面をもたらし、流体流れの実質的に全てをフィルタ要素１１８内に導くために、Ｏリングのようなシール（図示せず）を受け入れるように構成されている。いくつかの実施形態では、フィルタ要素１１８は、単一の部品として構成されている。
【００２７】
前述したように、フィルタ要素１１８は、基部１２２と口部１２３との間に延在するスリーブ１２４を形成するために、基部１２２と口部１２３との間に画定されたバスケット１２０を備えている。フィルタ要素１１８は、バスケット１２０内、更に具体的には、バスケット１２０の基部１２２及びスリーブ１２４内に、多孔性特徴部１４２を備えている。多孔性特徴部１４２は、どのような適切な数、寸法、及び／又は配列によって設けられていてもよい。例えば、図８−１０は、略矩形状の多孔性特徴部１４２が、スリーブ１２４上に矩形配列をなして配置され、基部１２２上に半径方向配列をなして配置されている状態を示している。多孔性特徴部１４２は、概して、流体がフィルタ要素１１８を横切って吸い込まれた時に流体内に混入された材料を捕捉するように、寸法決めされている。フィルタ要素１１８がハウジング６２内に配置され、吸引ライン５０が接続具１１２に連結されているので、接続具１１２の孔からマニホールド空間６５を通り、フィルタ要素１１８を横切って出口開口６８に至る流体連通が確立されることになる。多孔性特徴部１４２は、流体が流体連通経路を通って吸い込まれる時、流体内に混入された材料を捕捉する。時間と共に使用が延び又は使用が繰り返されると、フィルタ要素１１８の多孔性特徴部１４２は、流体内に混入された半固体及び固体物質によって部分的又は完全に塞がれ、その結果、マニホールド及び／又は外科部位に通じる吸引の降下が生じる。マニホールド６０が使い捨て式であることから、１つの選択肢として、前述したように、マニホールドの取外し及び交換が挙げられる。しかし、本開示のマニホールド６０の更に有利な特徴として、所定時間を経た後にマニホールド６０が詰まる可能性を低減し、これによって、マニホールド６０の作動寿命を延ばすことが挙げられる。
【００２８】
図２，５，１１を参照すると、マニホールド６０は、材料収集空間１０６を備えている。最も一般的には、材料収集空間１０６は、適切に寸法決めされた空間を有し、材料１５０（例えば、破線円によって表される半固形及び／又は固形物質の破片）が堆積して該空間１０６内に収集されるように、ハウジング１５０内に配置されている。本開示のマニホールド６０は、交換を必要とする前に流路内の材料をより多く収容するように構成されている。マニホールド６０は、大容量マニホールドと見なされることになる。これは、少なくとも２つの方法によって達成される。第１に、いったんフィルタ要素１１８の多孔性特徴部１４２が流体内に混入された材料によって詰まり始めたなら、材料の初期堆積は、吸引の存在によってフィルタ要素１１８の基部１２２の近くで生じ、これに続いて、材料がフィルタ要素１１８の長さに沿って継続的に堆積する。重力によって、材料は、最初、フィルタ要素１１８の長さの底に沿って堆積する。同様に、追加的な材料１５０が、フィルタ要素１１８の内に更に蓄積されるのではなく、マニホールド６０の底の近くの材料収集空間１９０６内に収集される。第２に、後述の材料収集空間１０６の位置及び大きさに基づき、流体に対する材料１５０の密度によって、材料１５０の少なくとも一部が、フィルタ要素１１８の口部１２３に達する前に、材料収集空間１０６に向かって降下し、該材料収集空間１０６内に収集される。材料１５０が材料収集空間１０６内に収集され且つ沈降されるので、多孔性特徴部１４２を閉塞する可能性のある固形材料又は半固形材料は、フィルタ要素１１８に入らないことになる。
【００２９】
以下、図５を特に参照して、材料収集空間１０６について詳細に説明する。マニホールド６０の遠位部分８８は、遠位部分８８の遠位端、例えば、面プレート１１０から近位側に延在する長軸ＬＡを備えているとよい。マニホールド６０が実質的に円筒状の実施形態では、長軸ＬＡは、マニホールド６０の半径中心に位置しているとよい。マニホールド６０の軸方向断面が実質的に円形でない他の実施形態では、長軸ＬＡは、該断面の幾何学的中心に位置しているとよい。長軸ＬＡは、マニホールド６０の略中央に位置し、その正確な位置は、いくつかの変数によって規定されるとよいことを理解されたい。マニホールド６０が医療／外科用廃棄物システム２０に連結された時、長軸ＬＡは、実質的に水平であり、近位側（P）から遠位側（Ｐ）に延在し、当然のことながら、図５において上方向（Ｔ）及び底方向（Ｂ）を画定する。
【００３０】
材料収集空間１０６は、水平線に対してフィルタ要素１１８のバスケット１２０の底の下方に（すなわち、底方向に）位置している。換言すれば、材料収集空間１０６は、長軸ＬＡに対してフィルタ要素１１８のバスケット１２０の反対側に位置している。材料収集空間１０６がバスケット１２０の下方に位置しているので、材料１５０は、材料収集空間１０６によって収集され、流体連通経路から效果的に除去される。吸引力は、固形及び半固形廃棄材料をバスケット１２０の下方に位置する材料収集空間１０６内から流体連通経路内に引き込むのに不十分である。マニホールド空間６５は、材料収集空間１０６以外のハウジング６２内の空間であってもよい、代替的に、材料収集空間１０６は、ハウジング６２によって画定されたマニホールド空間６５の副次的空間と見なされてもよい。
【００３１】
材料収集空間１０６は、ハウジング６２の側壁、さらに具体的には、遠位部分８８のネック９０の下方に（すなわち、底方向に）延在する突出部１０７によって画定されている。突出部１０７は、側壁の（突出部１０７の近位側の）部分から下方に延在していると見なされてもよい。突出部１０７は、水平線に対して下方に延在している。前述したように、突出部１０７の少なくとも一部は、下側区域１０２を遠位部分８８のネック９０から分離する移行パネル９９によって画定されているとよい（図４参照）。図５に示される例示的実施形態では、突出部１０７は、第１の面１０９及び第２の面１１１を備えている。第１の面１０９は、ハウジング６２の側壁から下方に延在している。第２の面１１１は、第１の面１０９からハウジング６２の遠位端を画定する面プレート１１０に向かって遠位側に延在している。このような実施形態では、材料収集空間１０６は、第１及び第２の面１０９，１１１及び面プレート１１０の一部によって少なくとも部分的に画定されているとよい。図５は、バスケット１２０の底が長軸ＬＡから第１の距離ｄ１にある軸ＲＭＴ（口部１２３の半径軸）上に画定されていることを示している。突出部１０７、更に具体的には、突出部１０７の最底部分（すなわち、第１の面１１１）は、長軸ＬＡから第２の距離ｄ２の位置にある。第２の距離は、第１の距離よりも大きく、その差は、材料収集空間１０６の深さを画定している。換言すれば、材料収集空間１０６の深さは、長軸ＬＡからハウジング６５２の側壁までの第１の距離と、長軸ＬＡから突出部１０７の最底部分までの第２の距離との差（すなわち、突出部１０７の深さ）によって画定されている。材料収集空間１０６の深さは、材料１５０に対して十分な収容能力をもたらすように構成されているとよく、例えば、少なくとも５ｍｍ、少なくとも１０ｍｍ、少なくとも２０ｍｍ、少なくとも５０ｍｍ、又は少なくとも１００ｍｍ以上であるとよい。代替的に、材料収集空間１０６の深さは、５〜１００ｍｍ、１０〜７５ｍｍ、又は２０−５０ｍｍの範囲内にあってもよい。しかし、材料収集空間１０６の深さは、ハウジング６２の寸法制約及び／又は外科用途の要求に基づいて設計されてもよいことを理解されたい。材料収集空間１０６の容積は、少なくとも５，６，７，８，９又は１０ｃｍ３であるとよい。代替的に、材料収集空間１０６の容積は、１〜１０ｃｍ３、３〜８ｃｍ３、又は４〜６ｃｍ３の範囲内にあってもよい。いくつかの実施形態では、マニホールド空間６５に対する材料収集空間１０６の容積比は、１：３から１．８の範囲内、１：３から１：６の範囲内、又は１：４から１：５の範囲内にあるとよい。代替的に、マニホールド空間６５は、材料収集区間１０６の容積の少なくとも２，３，４，５，又は６倍であってもよい。
【００３２】
材料収集空間１０６は、フィルタ要素１１８の遠位側に少なくとも部分的に位置している。更に具体的には、材料収集空間１０６は、フィルタ要素１１８の口部１２３の遠位側に、更に一層具体的には、接続具１１２の孔の近位端とフィルタ要素１１８の口部１２３との間に軸方向に少なくとも部分的に位置している。材料収集空間１０６が口部１２３の遠位側に位置しているので、材料１５０は、フィルタ要素１１８の口部１２３に至る前に降下し、材料収集空間１０６内に収集される。図５に示されるように、口部１２３は、軸ＡＭの位置（口部１２３の軸位置）に画定され、接続具１１２の近位端は、軸ＡＢの位置（孔の軸位置）に確定されている。もし孔が図５に示されるように面プレート１１０で終端しているなら、軸ＡＢは、面プレート１１０と一致する。材料収集空間１０６の長さＬＳＶは、軸ＡＢと軸ＡＭとの間に画定されているとよい。この長さは、２５〜２５０ｍｍの範囲内、５０〜１２５ｍｍの範囲内、２５〜７５ｍｍの範囲内、又は１５〜５０ｍｍの範囲内にある。この長さは、流体に対する材料１５０の密度によって材料１５０が流体連通経路から降下し、材料収集空間１０６内に収集されることを可能にするように、設計されている。この長さは、例えば、外科用途における予期される吸引レベルに基づいて設計されてもよいことを理解されたい。何故なら、吸引レベルが高いと、半固体材料及び固体材料をより大きな力によって吸い込むので、半固形材料及び固形材料を重力によって流体経路から降下させるのにより長い距離が必要になるからである。材料収集空間１０６は、図５の断面図において台形状であるが、突出部１０７は、材料収集空間１０６を矩形、半円、三角形、他の多角形、及び／又は連続面を画定する任意の形状をなすように画定することができる。
【００３３】
半固形材料及び固形材料の多くが材料収集空間１０６内に収集されることから、本開示のマニホールド６０が交換を必要とする前により多くの材料を収容するように構成されていることが容易に理解されるだろう。しかし、この堅固な特徴によっても、材料収集空間１０６がいつかは材料１５０によって費消され、フィルタ要素１１８の多孔性特徴部１４２が最終的に閉塞されることになる。このため、本開示のマニホールド６０は、更に有利な特徴として、マニホールド空間６５が材料を一層収容し始めた時に（後述の）第２の流体連通経路をもたらすスノーケル１３８を備えている。スノーケル１３８は、材料１５０が侵入しないスノーケル空洞１２０（図１０参照）を画定するように設計されている。
【００３４】
図５及び図８−１０を参照すると、スノーケル１３８は、フィルタ要素１１８の１つの構成要素又は構成部分として示されている。しかし、スノーケル１３８は、異なる構成要素であってもよいことを理解されたい。スノーケル１３８は、バスケット１２０から遠位側に、更に具体的には、フィルタ要素１１８の口部１２３から遠位側に延在している。換言すれば、フィルタ要素１１８の口部１２３は、フィルタ口面（例えば、図５の軸ＡＭ上の面参照）を画定し、スノーケル１３８は、該フィルタ口面から延在しているとよい。図８は、フィルタ口面から近位側に延在するバスケット１２０を示している。スノーケル１３８は、ハウジング６２内に、更に具体的には、ハウジング６２の遠位部分８８内に位置している。バスケット１２０に連結されたスノーケル１３８は、接続具１１２の孔の近位端とフィルタ要素１１８の口部１２３との間に少なくとも部分的に軸方向に配置されている。更に、図５は、軸Ｒｓ（スノーケル１３８の半径軸）上に配向されたスノーケル１３８を示している。スノーケル１３８の軸ＲＳは、長軸ＬＡに対して材料収集空間１０６の反対側に位置している。換言すれば、材料収集空間１０６は、概して、マニホールド６０の底の近くに位置しているが、スノーケル１３８は、概して、マニホールドの頂部の近くに位置している。いくつかの実施形態では、例えば、図５に示されるように、スノーケル１３８は、材料収集空間１０６の上方に位置している。図５に更に示されるように、バスケット１２０の頂部は、軸ＲＭＴ（口部１２３の半径軸）上に画定され、スノーケル１３８の軸ＲＳは、バスケット１２０の頂部の軸ＲＭＴの上方に位置している。後述の理由から、スノーケル１３８は、有利には、出口開口６８から遠く離れたマニホールド６０の最遠位及び最上部分の近くに位置している。スノーケル１３８は、材料収集空間１０６を備えていないマニホールド６０内に設けられてもよいことを理解されたい。
【００３５】
いくつかの実施形態では、スノーケル１３８は、概して、管状構造を有している。例えば、スノーケル１３８は、管状壁１４１と、管状壁１４１の遠位端に位置する遠位面１４０とを備えている。スノーケル１３８は、管状壁１４１及び遠位面１４０の一方又は両方に配置された多孔性特徴部１４２を備えている。これらの多孔性特徴部１４２は、バスケット２０に関連付けられた多孔性特徴部１４２と同一又は同様であるとよい。スノーケル１３８は、遠位面１４０と反対側の近位面を備えていなくてもよい。すなわち、スノーケル１３８は、フィルタ要素１１８の口部１２３に対して略凹状になっていてもよい。フィルタ要素のバスケット１２０は、フィルタ要素１１８の口部１２３に対して略凸状と見なされることに留意されたい。図９に最もよく示されるように、スノーケル１３８は、近位面を有することなく、むしろ、スリーブ１２４の溝１２５によって画定された通路に開いている。溝１２５は、略Ｕ字状又は半円状であるとよく、また管状壁１４１の一部に対応する円弧を画定しているとよい（すなわち、溝１２５は、スノーケル１３８の隣接する彎曲した区域と同一平面をなしているとよい）。
【００３６】
図１０を特に参照すると、バスケット１２０は、スリーブ１２４内において基部１２２と口部１２３との間にバスケット空洞１２７を画定しているとよい。口部１２３は、バスケット空洞１２７が面プレート１１０の近位側内方を向く面に向かって開くように、開いている。スノーケル１３８は、管状壁１４１内において遠位面１４０と壁１４１の近位端との間にスノーケル空洞１２９を画定しているとよい。スノーケル空洞１２９は、バスケット空洞１２７から分離していることを理解されたい。特に、スノーケル１３８の環状壁１４１及び溝１２５は、スノーケル空洞１２９をバスケット空洞１２７から分離しているとよい。バスケット１２０及びスノーケル１３８を備えるフィルタ要素１１８の構造は、前述の第１の流体連通経路（Ｆ）（図５も参照）と、接続具１１２の孔からスノーケル１３８のスノーケル空洞１２９を通って出口開口に至る第２の流体連通経路（Ｓ）とを確立している。更に具体的には、第２の流体連通経路は、接続具１１２の孔から、スノーケル１３８の多孔性特徴部１４２、スノーケル空洞１２９、及び溝１２５によって画定された通路を通って、バスケット１２０の基部１２２の近くで出口開口６８に降下する流体移動経路を構成することになる。従って、バスケット１２０の多孔性特徴部１４２の実質的に全てが捕捉された材料１５０によって閉塞され、且つバスケット空洞１２７が材料１５０によって実質的に満たされた後でも、第２の流体連通経路を通る吸引が維持され、流体を第２の流体連通経路を通して吸い込むことができる。流路内に混入された材料は、スノーケル１３８の多孔性特徴部１４２によってスノーケル空洞１２９に入らないように防がれる。更に、スノーケル１３８の軸方向位置及び半径方向位置が出口開口６８から最も遠いマニホールド空間６５の部分の近くに位置するので、マニホールド６０は、ハウジング６２内の空間の実質的に全てが半固形材料及び固形材料によって使い果たされるまで、継続的に作動することができるだろう。ハウジング６２内の空間が材料によって使い果たされるのは、材料がマニホールド６０の最遠且つ最上部分におけるスノーケル１３８の多孔性特徴部１４２を閉塞した時である。その結果、マニホールド６０内の実質的に全てが利用され、マニホールド６０の作動寿命を延ばすことになる。
【００３７】
例示的な操作に際して、マニホールド６０をマニホールド受器４０内に挿入することによって、廃棄物収集ユニット２０の使用前の準備が整えられる。マニホールド６０をタブ９５．９７が長孔４３，４５と一体の溝内に着座するように回転させることによって、マニホールド６０がマニホールド受器４０内に離脱可能に係止される。マニホールド受器４０に連結される時、マニホールド６０を重力面を基準として配向させることによって、材料収集空間１０６をフィルタ要素１１８の下方に位置させるとよい。少なくとも１つの吸引ライン５０が接続具１１２の少なくとも１つに連結される。吸引アプリケータ４８が吸引ライン５０に連結されるとよい。
【００３８】
廃棄物を外科部位から吸い込むために、ポンプ５８が作動される。ポンプの作動によって、図１１の矢印１４６によって表される廃棄物流れが吸引アプリケータ４８及び吸引ライン５０を通ってマニホールド６０内に吸い込まれる。材料収集空間１０６の位置に基づき、材料１５０を含む流体流れは、フィルタ要素１１８にすぐに到達しない。むしろ、材料１５０を含む流体流れは、図１１の矢印１４８によって表される第１の流体連通経路を通って移動する（図５のＦ参照）。材料１５０の少なくとも一部は、フィルタ要素１１８の口部１２３に達する前に材料収集容器１０６に向かって降下し、材料収集容器１０６内に収集される。流体は、マニホールド空間６５と流体連通するキャニスタ２８，３０の１つに吸い込まれる。更に、フィルタ要素１１８の多孔性特徴部１４２の少なくともいくつかが流体内に混入された材料１５０によって詰まった後、材料１５０は、例えば、フィルタ要素１１８内にさらに堆積されず、反対側のマニホールド６０の底の近くの材料収集空間６０内に収集されることになる。
【００３９】
［ＩＩ．第２の実施形態］
図１２，１３，１７は、本開示の他の例示的実施形態によるマニホールド１６８を示している。なお、マニホールド６０の前述の実施形態におけるのと同様の部番が付された構造は、参照することによって、以下に説明するマニホールド１６８の実施形態に含まれるものとする。マニホールド１６８は、近位部分６４及び遠位部分２０２を備えている。遠位部分２０２は、例えば、スナップ接続具、戻り止め、等によって近位部分６４に取外し可能に連結されている。近位部分６４及び遠位部分２０２は、連携して、マニホールド１６８のハウジング６２を画定している。遠位部分２０２は、その形状及び寸法を除けば、多くの点で遠位部分８８と同様である。具体的には、遠位部分２０２のネック２０４は、図４の遠位部分のネック９０よりも軸方向において長くなっている。この実施形態の遠位部分２０２のネック２０４は、その全長に沿って円筒状である。更に、遠位部分２０２は、ネック２０４から半径方向外方に環状に拡がるカラー２０５を備えている。少なくともいくつかの点において、カラー２０５は、前述の移行パネル９９と同様である。カラー２０５は、突出部２０７を少なくとも部分的に画定している。カラー２０５の遠位側において、ハウジング６２の遠位部分２０２は、ネック２０４の直径よりも大きい直径を有するヘッド２０８を備えている。マニホールド１６８は、マニホールド１６８の遠位端を画定する面プレート２１０を備えている。接続具１１２及びフェンス区域１１４が、面プレート２１０から前方に延在している。接続具１１２は、マニホールド１６８内のマニホールド空間６５と流体連通する孔を画定している。いくつかの実施形態では、マニホールド１６８は、ネック２０４の円筒面から半径方向外方に突出するブリスタ２０３を備えている。図示される実施形態では、これらのブリスタ２０３は、直径方向において互いに対向している。ブリスタ２０３は、マニホールド１６８とマニホールド受器４０ののカラー４１との間に摩擦嵌合をもたらすように構成されている。一例では、マニホールド１６８のネック２０４は、カラー４１の直径よりも略０．５ｍｍ小さい直径を有するように寸法決めされ、ブリスタ２０３は、マニホールド受器４０の直径よりも略０．０５ｍｍ大きい距離まで半径方向外方に突出している。ブリスタ２０３は、マニホールド１６８がマニホールド受器４０内に配置される時に圧縮されて弾性的に変形するように構成された弾性材料から形成されているとよい。ブリスタ２０３の圧縮及びそれに付随する弾性変形によって、医療／外科用廃棄物収集システム２０に対するマニホールド１６８の回転が容易に阻止されることになる。
【００４０】
図１４−１６を参照すると、フィルタ要素１７０は、バスケット１７４を備えている。バスケット１７４は、実質的に円筒状である。バスケット１７４は、フィルタ要素１７０の近位端を画定する基部１７２と、フィルタ要素１７０の遠位端を画定する（基部１７２と反対側の）口部１２３との間に延在している。バスケット１７４は、ハウジング６２内に配置されるように寸法決めされ、且つ形作られている。ネック１８２が、バスケット１７４の遠位側に位置している。ネック１８２は、バスケット１７４の内径よりも略３ｍｍ大きい内径を有している。フィルタ要素１７０は、ネック１８２から遠位側に延在するヘッド１８４を備えている。フィルタ要素１７０は、ネック１８２から延在するヘッド１８４を備えている。ヘッド１８４は、環状の円錐台形状に形作られている。換言すれば、ヘッド１８４は、ネック１８２から半径方向外方にフレア状に拡がるか又は半径方向外方にテーパが付されている。ヘッド１８４の一部でもあるリング状リム１８８が、ヘッド１８４の外周から半径方向外方に延在している。リム１８８は、平面形状を有し、フィルタ要素１７０の口部１２３を画定している。リム１８８は、遠位部分２０２のヘッド２０８の内壁の直径よりも略１ｍｍ小さい外径を有している。しかし、フィルタバスケット１７４は、他の形状を有していてもよいことを理解されたい。
【００４１】
フィルタ要素１７０は、ハウジング６２に対してフィルタ要素１７０の位置を保持するように構成されたリブ１７６、バンプ１７８、及び耳部１９０を備えている。更に具体的に、リブ１７６は、バスケット１７４の外面から半径方向外方に延在しているとよい。リブ１７６は、バスケット１７４の外面に沿って長手方向に配向されているとよい。図１４，１５は、バスケット１７４の外面によって画定された外周に均等に離間した４つのリブ１７６を示している。リブ１７６は、バスケット１７４がハウジング６２の近位部分内に緊密に受け入れられるように寸法決めされると共に、所望の大きさの間隙がバスケット１７４の外面と近位部分６４の内面との間に設けられるように更に寸法決めされている。この間隙は、フィルタ要素１７０の（以下に更に説明する）多孔性特徴部１９４を通って流れる流体に対して隙間を与えるものである。バンプ１７８は、ハウジング６２の近位部分内におけるフィルタ要素１７０の芯出しを容易にするものである。図１４，１５に示されるように、バンプ１７８は、リブ１７６の各々から、更に具体的には、リブの各々の遠位端において外方に突出している。バンプ１７８は、フィルタ要素１７０がハウジング６２内に着座した時、バンプ１７８が近位部分６４の内面に当接するように、寸法決めされている。耳部１９０は、リム１８８から遠位側前方に延在している。一例では、耳部１９０の各々は、彎曲タブの形態にある。マニホールド１６８が組み入れられた時、耳部１９０は、ヘッド２０８の内面から内方に突出するリブ（図示せず）間に配置される。リブ間への耳部１９０の着座によって、マニホールド１６８内へのフィルタ要素１７０の位置合せを容易にし、フィルタの回転を防ぐことになる。
【００４２】
フィルタ要素１７０は、多孔性特徴部１９４を備えている。多孔性特徴部１９４は、基部１７２、バスケット１７４、ネック１８２、及び／又はヘッド１８４内に配置されているとよい。図１４−１６は、多孔性特徴部がリム１８８に設けられていないことを示している。多孔性特徴部１９４は、概して、流体がフィルタ要素１７０を横切って吸い込まれる時に流体内に混入された材料を捕捉するように、寸法決めされている。フィルタ要素１７０がハウジング６２内に配置され、吸引ライン５０が接続具１１２に連結されているので、接続具１１２の孔からマニホールド空間６５を通り、フィルタ要素１７０を横切ってて出口開口６８に至る流体連通経路が確立されることになる。多孔性特徴部１９４は、流体が流体連通経路を通って吸い込まれると、流体内に混入された材料１５０を捕捉する。時間と共に使用が延び又は使用が繰り返されると、フィルタ要素１１８の多孔性特徴部１９４は、流体内に混入された半固形及び固形物質によって部分的又は完全に塞がれ、その結果、マニホールド１６８及び／又は外科部位に通じる吸引が降下する可能性がある。マニホールド１６８のこの実施形態は、多くの点で前述の例示的実施形態（図５参照）の材料収集空間２０６と同様の材料収集空間２０６を備えている。最も一般的には、材料収集空間２０６は、適切に寸法決めされてハウジング６２内に配置された空間であり、材料１５０がこの材料収集空間２０６内に沈降し、収集される。
【００４３】
図１３を参照すると、マニホールド１６８の遠位部分２０２は、遠位部分２０２の遠位端から近位側に延在する長軸ＬＡを備えている。長軸ＬＡは、近位側（Ｐ）から遠位側（Ｐ）に配向され、上方向（Ｔ）及び下方向（Ｐ）を画定している。材料収集空間２０６は、水平線に対してフィルタ要素１７０のバスケット１７４の底の下方に位置している。換言すれば、材料収集空間２０６は、長軸ＬＡに対してフィルタ要素１７０のバスケット１７４の反対側に位置している。材料収集空間２０６がバスケット１７４の下方に位置しているので、材料収集空間２０６内に降下して収集された材料１５０は、効果的に流体連通経路から取り除かれる。材料収集空間２０６は、ハウジング６２の側壁から下方に延在する突出部２０７によって画定されている。突出部２０７は、カラー２０５及び／又は近位部分２０のヘッド２０８によって少なくとも部分的に画定されているとよい。この実施形態では、フィルタ要素１７０のリム１８８は、材料収集空間２０６の一部を画定する第１の表面２０８を構成するとよく、第２の面２１１がハウジング６２の遠位端を画定する面プレート２１０から近位側に延在している。このような実施形態では、材料収集空間２０６は、図１３において破線の矩形によって表されるように、第１及び第２面２０９，２１１及び面プレート２１０の一部によって少なくとも部分的に画定されている。図１３に更に示されるように、バスケット１７４の底は、長軸ＬＡから第１の距離ｄ１にある軸ＲＭ上に画定され、突出部２０７、更に具体的には、突出部２０７の底（例えば、第２の面２１１）は、長軸ＬＡから第２の距離ｄ２の位置にある。第２の距離は、第１の距離よりも大きく、その差は、材料収集空間２０６の深さを画定している。他の一般例では、材料収集空間２０６の深さは、長軸ＬＡから突出部２０７の近位側のハウジング６２の側壁までの第１の距離と、長軸ＬＡから突出部２０７の最底部分までの第２の距離ｄ２（すなわち、突出部２０７の深さ）との間の距離として画定されている。材料収集空間２０６の深さは、材料１５０に対して十分な収容能力をもたらすように構成されているとよく、例えば、少なくとも５ｍｍ、少なくとも１０ｍｍ、少なくとも２０ｍｍ、少なくとも５０ｍｍ、又は少なくとも１００ｍｍ以上であるとよい。代替的に、材料収集空間２０６は、５〜１０ｍｍの範囲内、１０〜７５ｍｍの範囲内、又は２０〜５０ｍｍの範囲内にあってもよい。しかし、材料収集空間２０６の深さは、ハウジング６２の寸法制約及び／又は外科用途の要求に基づいて設計されてもよいことを理解されたい。材料収集空間２０６の容積は、少なくとも５，６，７，８、９，又は１０ｃｍ３であるとよい。代替的に、材料収集空間２０６の容積は、１〜１０ｃｍ３の範囲内、３〜８ｃｍ３の範囲内、又は４〜６ｃｍ３の範囲内にあってもよい。いくつかの実施形態では、マニホールド６５に対する材料収集空間２０６の容積比は、１：３から１：８の範囲内、１：３から１：６の範囲内、又は１：４から１：５の範囲内にある。代替的に、マニホールド空間６５は、材料収集空間２０６の容積の少なくとも２，３，４，５，又は６倍の容積を有していてもよい。
【００４４】
材料収集空間２０６は、フィルタ要素１７０の遠位側に少なくとも部分的に位置している。更に具体的には、材料収集空間２０６は、フィルタ要素１７０の口部１２３の遠位側に、更に一層具体的には、面プレート２１０とフィルタ要素１７０口部１２３との間に軸方向に少なくとも部分的に位置している。材料収集空間２０６は、接続具１１２の孔の近位端とフィルタ要素１７０の口部１２３との間に軸方向に位置していてもよい。材料収取空間２０６が口部１２３の遠位側に位置しているので、材料１５０は、フィルタ要素１７０の口部１２３に到達する前に、材料収集空間２０６内に降下し、収集されることになる。図１３に示されるように、口部１２３は、軸ＡＭの位置に画定され、接続具１１２の孔は、軸ＡＢの位置に画定されている。材料収集空間２０６の長さＬＶＳは、これらの軸ＡＢ，ＡＭ間に画定されているとよい。この長さは、２５〜２５０ｍの範囲内、５０〜１２５ｍｍの範囲内、２５〜７５ｍｍの範囲内、又は１５〜５０ｍｍの範囲内にあるとよい。
【００４５】
例示的な操作に際して、マニホールド１６８をマニホールド受器４０内に挿入することによって、廃棄物収集ユニット２０を使用前の準備が整えられる。タブ９５，９７が長孔４３，４５と真っ直ぐに配列され（図３参照）、次いで、長孔４３，４５の近位端に向かって挿入される。ブリスタ２０３がカラー４１の内面に当接し、これによって、マニホールド１６８が溝４７内に挿入され、次いで、溝４７内において回転されると、カラー４１に対するブリスタ２０３の圧縮によって、マニホールド１６８の軸方向運動及び回転運動に対する抵抗力が加えられる。タブ９５，９７が長孔４３，４５内に完全に着座した時、タブ９５，９７がマニホールド受器４０のカラー４１内の溝４７の端に達するまで、マニホールド１６８が回転される。これらの構成要素は、タブ９５，９７が溝４７の端に回転されると、ブリスタ２０３が長孔４３，４５内に回転し、これによって、ブリスタ２０３がもはやカラー４１に当接しないように、互いに対して配置されている。ブリスタ２０３からの抵抗力が取り除かれると、その結果として、マニホールド１６８がマニホールド受器４０内に固定されたこと示す触覚指標が得られることになる。マニホールド受器４０に連結された時のマニホールド１６８の配向に起因して、材料収集空間２０６は、長軸及び重力面に対してフィルタ要素１７０の下方に配置される。少なくとも１つの吸引ライン５０が、接続具１１２の少なくとも１つに連結される。吸引アプリケータ４８が、吸引ライン５０に連結されるとよい。
【００４６】
廃棄物を外科部位から吸い込むために、ポンプ５８が作動される。ポンプ５８の作動によって、図１７の矢印２２２によって表される廃棄物流れが吸引アプリケータ４８及び吸引ライン５０を通ってマニホールド１６８内に吸い込まれる。材料収集空間２０６の位置に基いて、材料１５０を含む流体流れは、フィルタ要素１７０にすぐに到達しない。材料１５０の少なくとも一部は、フィルタ要素１７０の口部１２３に達する前に、材料収集空間２０６に向かって降下し、材料収集空間２０６内に収集される。流体経路に混入された半固形及び固形物質は、フィルタ要素１７０の多孔性特徴部１９４によって捕捉され、流体は、マニホールド空間６５と流体連通するキャニスタ２８，３０の１つに吸い込まれる。更に、フィルタ要素１７０の多孔性特徴部１９４の少なくとも一部が流体内に混入された材料１５０によって塞がれた後、材料１５０は、例えば、フィルタ要素１７０内に更に堆積されずに、、マニホールド１６８の底の近くの材料収集空間２０６内に収集される。多孔性特徴部１９４が有利にはフィルタ要素１７０のヘッド１８４、ネック１８２、バスケット１７４及び／又は基部１７２の周りに環状に配置されているので、多孔性特徴部１９４の下側部分が塞がれても、フィルタ要素１７０を通る吸引が維持されることになる。マニホールド１６８は、ハウジング６２内の空間の実質的に全てが半固形材料及び固形材料によって使い果たされるまで、継続的に作動することができるだろう。ハウジング６２内の空間が材料によって使い果たされるのは、材料１５０がフィルタ要素１７０の最上部分の多孔性特徴部を閉塞した時である。その結果、マニホールド１６８内の空間の実質的に全てが利用され、マニホールド１６８の作動寿命を延ばすことになる。
【００４７】
［ＩＩＩ．第３の実施形態］
図１８−２０は、本開示の他の例示的な実施形態によるマニホールド２４２を示している。なお、マニホールド６０，１６８の前述の実施形態におけるのと同様の部番が付された構造は、参照することによって、以下に説明するマニホールド２４２の実施形態に含まれるものとする。マニホールド２４２は、近位部分６４及び遠位部分２４４を備えている。近位部分６４及び遠位部分２４４は、連携して、マニホールド２４２のハウジング６２を画定している。遠位部分２４４は、少なくともいくつかの点において、前述の遠位部分８８，２０２と同様である。例えば、遠位部分２４４は、略円筒状のネック２４６を備えている。マニホールド２４２は、マニホールド２４２の遠位端を画定する面プレート２５８を備えている。接続具１１２及びフェンス区域１１４が、面プレート２５８から前方に延在している。接続具１１２は、マニホールド２４２内のマニホールド空間６５と流体連通する孔を画定している。面プレート２５８から延長する複数のテザー２５６が示されている。図１８において、２対のテザーに部番が付されている。接続具遠位部分２５７が、テザー２５６の各々の自由端に取り付けられている。遠位部分２５７は、接続具１１２の孔を覆うように構成されており、これによって、該接続具１１２を通る吸引の損失をなくすことができる。図示されないが、前述のマニホールド６０，１６８も、通常、同様のテザー及び接続具遠位部分を備えていることを理解されたい。
【００４８】
マニホールド２４２は、バスケット３１４を有するフィルタ要素３１０を備えている。バスケット３１４は、実質的に円筒状である。バスケット３１４は、フィルタ要素３１０の近位端を画定する基部３１２と、フィルタ要素３１０の遠位端を画定する（基部３１２と反対側の）口部１２３との間に延在している。バスケット３１４は、ハウジング６２、更に具体的には、ハウジング６２の近位部分６４内に配置されるように、寸法決めされ且つ形作られている。フィルタ要素３１０は、フィルタ要素３１０を近位部分６４に保持するために近位部分６４に係合する（図１９に部番が付されない）特徴部を備えている。これらの特徴部の例として、例えば、制限されないが、前述の実施形態に記載されたものが挙げられる。フィルタ要素３１０は、多孔性特徴部３１５を更に備えている。多孔性特徴部３１５は、基部３１２及び／又はバスケット３１４内に配置されているとよい。多孔性特徴部３１５は、概して、流体がフィルタ要素３１０を横切って吸い込まれた時に流体内に混入された材料を捕捉するように、寸法決めされている。フィルタ要素３１０がハウジング６２内に配置され、吸引ライン５０が接続具１１２に連結されているので、接続具１１２の孔からマニホールド空間６５を通り、フィルタ要素３１０を横切って出口開口６８に至る流体連通経路が確立されることになる。多孔性特徴部３１５は、流体が流体連通経路を通って吸い込まれた時に、流体内に混入された材料を捕捉する。時間と共に使用が延び又は使用が繰り返されると、フィルタ要素３１０の多孔性特徴部３１５は、流体内に混入された半固形及び固形物質によって部分的又は完全に塞がれ、その結果、マニホールド２４２及び／又は外科部位に通じる吸引の降下が生じる可能性がある。
【００４９】
マニホールド２４２のこの実施形態は、材料収集空間３０６を備えている。材料収集空間３０６は、多くの点において、前述の例示的実施形態の材料収集空間１０６，２０６（図５，１３参照）と同様である。図１９を参照すると、マニホールド２４２の遠位部分２４４は、長軸ＬＡを備えている。長軸ＬＡは、遠位部分２０２の遠位部分２０２の遠位端から近位側に延在し、近位側（Ｐ）から遠位側（Ｐ）に配向され、上方向（Ｔ）及び下方向（Ｂ）を画定している。材料収集空間３０６は、水平線に対してフィルタ要素３１０のバスケット３１４の底の下方に位置している。換言すれば、材料収集空間３０６は、長軸ＬＡに対してフィルタ要素３１０のバスケット３１４の反対側に位置している。材料収集空間３０６がバスケット３１４の底の下方にあるので、材料収集空間３０６内に降下して収集される材料１５０は、流体連通経路から効果的に取り除かれることになる。
【００５０】
材料収集空間３０６は、突出部３０７によって画定されている。図１９を更に参照すると、バスケット３１４の底は、長軸ＬＡから第１の距離ｄ１にある軸ＲＭ上に画定され、突出部３０７，更に具体的に、突出部３０７の底は、長軸ＬＡから第２の距離ｄ２の位置にある。第２の距離は、第１の距離よりも大きく、その差は、材料収集空間３０６の深さを画定している。換言すれば、材料収集空間３０６の深さは、長軸ＬＡからのハウジング６２の側壁までの第１の距離と長軸ＬＡから突出部３０７の最底部分までの第２の距離ｄ２との間の距離（すなわち、突出部３０７の深さ）によって、画定されている。材料収集空間３０６の深さは、材料１５０に対して十分な収容能力をもたらすように構成されているとよく、例えば、少なくとも５ｍｍ、少なくとも１０ｍｍ、少なくとも２０ｍｍ、少なくとも５０ｍｍ、又は少なくとも１００ｍｍ以上であるとよい。代替的に、材料収集空間３０６の深さは、５−１０ｍｍの範囲内、１０―７５ｍｍの範囲内、又は２０−５０ｍｍの範囲内にあってもよい。しかし、材料収集空間３０６の深さは、ハウジング６２の寸法制約及び／又は外科用途の要求に基づいて設計されてもよいことを理解されたい。材料収集空間３０６の容積は、少なくとも５，６，７，８、９，又は１０ｃｍ３であるとよい。代替的に、材料収集空間３０６の容積は、１〜１０ｃｍ３の範囲内、３〜８ｃｍ３の範囲内、又は４〜６ｃｍ３の範囲内にあってもよい。いくつかの実施形態では、マニホールド６５に対する材料収集空間３０６の容積比は、１：３から１：８の範囲内、１：３から１：６の範囲内、又は１：４から１：５の範囲内にあるとよい。代替的に、マニホールド空間６５は、材料収集空間３０６の容積の少なくとも２，３，４，５，又は６倍の容積を有していてもよい。
【００５１】
材料収集空間３０６は、フィルタ要素３１０の遠位側に少なくとも部分的に位置している。更に具体的には、材料収集空間３０６は、フィルタ要素３１０の口部１２３の遠位側に、更に一層具体的には、接続具１１２の孔の近位端とフィルタ要素１７０の口部１２３との間に軸方向に少なくとも部分的に位置している。材料収取空間３０６が口部１２３の遠位側に位置しているので、材料１５０は、フィルタ要素１７０の口部１２３に到達する前に、材料収取空間３０６内に降下し、収集されることになる。図５に示されるように、口部１２３は、軸ＡＭの位置に画定され、接続具１１２の孔は、軸ＡＳの位置に画定されている。材料収集空間３０６の長さＬＶＳは、軸ＡＢ，ＡＭ間に画定されているとよい。この長さは、１．０〜１０．１インチの範囲内、更に具体的には、２．０〜５．０インチの範囲内にあるとよい。
【００５２】
図１８，１９に示される実施形態では、マニホールド２４２は、組織トラップ２４８を備えている。組織トラップ２４８は、突出部３０７から構成され、材料収集空間３０６を少なくとも部分的に画定している。組織トラップ２４８は、ハウジング６２、更に具体的には、ハウジング６２の近位部分６４の側壁から横方向外方に突出している。いくつかの実施形態では、組織トラップ２４８は、ハウジング６２の一部を構成し、他の実施形態では、組織トラップ２４８は、ハウジング６２に取外し可能に連結されている。例えば、組織トラップ２４８及びハウジング６２は、組織トラップ２４８をハウジング６２の近位部分６４から取外し可能に連結するように構成された相補的連結特徴部２５１を備えているとよい。相補的連結特徴部２５１は、螺合、戻り止め、摩擦嵌合、等を含んでいるとよい。このような例では、ハウジング６２からの組織トラップ２４８の取外しによって、組織トラップ２４８内に収集された材料の回収が行なわれる。この実施形態のマニホールド２４２の組織トラップ２４８は、前述のマニホールド６０，１６８の実施形態に含まれていてもよい。組織トラップ２４８は、上部２５０及び下部２５２を備えているとよい。上部２５０は、矩形状チューブの形態にあるとよい。組織トラップ２４８の下部２５２は、所望の容積及び輪郭の材料収集空間３０６をもたらすために、図１８又は１９に示されるような実質的に円錐状、実質的にプラミッド状、又は他の適切な形状を有しているとよい。組織トラップ２４８は、部分的又は全体的に透明な材料から形成されているとよく、更に下部２５２の底からのトラップの空間を示す目盛２５４を備えているとよい。目盛２５４によって、組織トラップ２４８内に収集された材料及び流体の体積の特定が容易になる、組織トラップ２４８は、マニホールド２４２に前述の実施形態と異なる輪郭を与え、比較的大きい材料収集空間３０６を画定している。しかし、３つの実施形態における材料収集空間の機能は、多くの点において同様である。材料収集空間３０６は、材料１５０が材料収集空間３０６内に沈降し、収集されるように、ハウジング６２内に配置されている。材料１５０が材料収集空間３０６内に収集され、且つ沈降するので、僅かな材料しかフィルタ要素３１０に流入せず、多孔性特徴部３１５を閉塞する可能性が少なくなる。従って、マニホールド２４２は、交換を必要とする前により多くの流体及び該流体内のより多くの材料を収容するように構成されていることになる。組織トラップ２４８は、本開示の他のマニホールド６０，１６８の例示的実施形態又は材料収集空間を備えていないマニホールドの実施形態に設けられてもよいことを理解されたい。
【００５３】
組織トラップ２４８が大きな収容能力を有する材料収集空間３０６をもたらしているので、流体がフィルタ要素３１０の口部１２３に到達する前に該流体を組織トラップ２４８に向かって導くことが望ましい。マニホールド２４２は、ハウジング６２内に配置される分流器２８０を更に備えているとよい。分流器２８０は、接続具１１２の孔とフィルタ要素２１０の口部１２３との間に軸方向に位置し、これによって、流体連通経路内に配置されている。分流器２８０は、流体連通経路を通って吸い込まれる流体及び材料１５０の少なくとも一部を材料収集空間３０６に向かって導くように構成されている。図１９−２３を参照すると、面プレート２５８は、２つの開口２６０を有するように更に形成されている。これらの２つの開口２６０の１つに部番が付されている。Ｈ状ビーム２６２が、面プレート２５８から外方に突出している。ビーム２６２の中心ウエブが２つの開口２６０間に配置され、ビーム２６２の互いに向き合った平行翼が開口２６０の両側に隣接して配置されている。１つ又は複数のタブ２６４が、面プレート２５８から外方に突出していてもよい。タブ２６４の各々は、開口２６０の１つに隣接して配置されている。タブ２６４は、開口２６０を包囲するビーム２６２の翼の自由端間に位置している。
【００５４】
分流器２８０は、中心パネル２８２を備えている。図示される例では、中心パネル２８２は、平面状且つ矩形状である。中心パネル２８２は、概して、長軸ＬＡと平行に配向されている。中心ヘッド２８８が、中心パネル２８２の遠位端に固定されている。ヘッド２８８は、中心パネル２８２の面と直交する面内に配置されている。分流器２８０は、ヘッド２８８の頂部から遠位側前方に延在する耳部２９０を備えている。耳部２９０は、概して、平行ポストの形態にある。これらの並行ポストの各々は、矩形状の断面輪郭を有している。各耳部２９０は、外方に短く突出するチップ２９２を有するように、更に形作られている。マニホールド２４２が組み込まれる時、耳部２９０の各々は、遠位部分２４４の面プレート２５８の開口２６０の各１つに挿入される。耳部２９０のチップ２９２の各々は、遠位部分２４４のタブ２６４の各１つを超えて突出する。耳部とタブとの係合によって、分流器２８０は、ハウジング６２の遠位部分２４４内のマニホールド空間６５に固定される。マニホールド２４２を形成する構成部品の寸法決めに起因して、分流器２８０が適所に固定されると、ヘッド２８８の遠位面は、面プレート２５８の隣接する近位面を押圧することになる。分流器２８０は、単一構造を有し、プラスチックのような比較的安価な材料から形成されるとよいことを理解されたい。
【００５５】
分流器２８０は、バッフル２９８を更に備えている。バッフル２９８は、中心パネル２８２から外方に延在している。バッフル２９８は、円形であるとよく、中心パネル２８２の上下高さよりも大きい直径を有しているとよい。バッフル２９８は、長軸ＬＡに対して斜めに配向されている。図１９に示されるように、バッフル２９８の頂部（すなわち、上方向（Ｔ）にある頂部）は、バッフル２９８の底部（すなわち、底方向（Ｂ）にある底部）に対して遠位側に配置されている。換言すれば、バッフル２９８は、バッフル２９８が組織トラップ２５８に向かって下方に延びる方向において、バッフル２９８の底が近位部分６４に向かって近位側に傾斜するように、長軸ＬＡに対して傾斜している。バッフル２９８の寸法、形状、及び方位に起因して、分流器２８０は、流体連通経路を通って材料収集空間３０６に向かって吸い込まれた流体及び材料の少なくとも一部、場合によっては、その殆どを導くように構成されている。換言すれば、廃棄物流れのかなりの部分がバッフル２９８の遠位面に直接接触し、これによって、組織トラップ２４８内に分流されることになる。場合によっては、図１９の矢印３２４によって表されるように、この流体連通経路が材料収集空間３０６を備えているとよいが、分流器２８０は、前述のマニホールド６０，１６８の例示的実施形態、又は材料収集空間を備えていないマニホールドの実施形態内に設けられてもよいことを理解されたい。
【００５６】
廃棄物流れの多くがバッフル２９８の遠位面に接触するので、分流器２８０は、遠位面に連結された保持部材３０２を備えているとよい。保持部材は、流体連通経路内の破片、例えば、縫合糸、組織片、及び他のより長い破片を保持するように構成されている。図２１の示される実施形態では、保持部材３０２は、ピンである。
【００５７】
例示的な操作に際して、マニホールド２４２をマニホールド受器４０内に挿入することによって、廃棄物収集ユニット２０の使用前の準備が整えられる。タブ９５，９７がマニホールド受器４０のカラー４１内の溝４７（図３参照）に係合するように配置され、マニホールド２４２をマニホールド受器４０に取外し可能に係止するために、マニホールド２４２３が回転される。システムを形成する構成部品を位置決めすることによって、マニホールド２４２がこの係止状態にある時、マニホールド２４２は、トラップ２４８が長軸ＬＡの下方にあるように長軸ＬＡの周りの回転配向される。更に具体的には、マニホールド２４２は、組織トラップ２４８の底が重力面に対して最下位にあるように配向され、材料収集空間３０６がフィルタ要素３１０の下方に配置される。少なくとも１つの吸引ライン５０が、接続具１１２の少なくとも１つに連結される。吸引アプリケータ４８が吸引ライン５０に連結されているとよい。
【００５８】
廃棄物を外科部位から吸い込むために、ポンプ５８が作動される。ポンプの作動によって、図１９の矢印３２２によって表される廃棄物流れが、吸引アプリケータ４８及び吸引ライン５０を通ってマニホールド２４２内に吸い込まれる。材料収集空間３０６の位置に基づき、材料１５０の少なくとも一部は、フィルタ要素３１０の口部１２３に到達する前に、材料収集空間３０６に向かって降下し、材料収集空間３０６内に収集される。流体は、マニホールド空間６５と流体連通するキャニスタ２８，３０の１つ内に吸い込まれる。更に、材料収集空間３０６に向かって流体連通経路を通って吸い込まれる流体及び材料は、バッフル２９８の遠位面に接触し、これによって、廃棄物流れが組織トラップ２４８内に分流される。フィルタ要素３１０の多孔性特徴部３１５の少なくともいくつが流体内に混入された材料１５０によって塞がれた後、材料１５０は、マニホールド２４２の底の近くの材料収集空間３０６内に収集されることになる。
【００５９】
廃棄物収集システム２０が低吸引モード及び高吸引モードの１つによって操作されることが更に考えられる。比較的低い吸引が吸引ライン５０を通して印加される低吸引モードでは、廃棄物流れの実質的に全て（すなわち、流体及び材料）は、図１９の波状ライン３２６によって表されるようにに、組織トラップ２４８内に入る。しかし、吸引のレベルは、材料を組織トラップ２４８から引き出すのに不十分である。外科部位から吸い込まれる廃棄物の容積を測定するために、少なくとも部分的に透明の組織トラップ２４８の目盛が用いられるとよい。この特徴部は、いくつかの手術、例えば、僅かな量の材料、例えば、１０ｃｍ３以下の材料しか引き込まれない小児科手術及び眼科手術に特に有用である。低吸引モードでは、組織トラップ２４８は、最終的に廃棄物流れによって充填されることになる。この場合、目盛２５４は、もはや、廃棄物流れの容積を測定するために有用ではないが、流体に対する材料１５０の密度によって、材料が組織トラップ２４８によって画定された材料収集空間３０６の底内に降下し、該底内に収集されることになる。続いて、もし高レベルの吸引がマニホールド２４２を通して印加されたなら、材料を流体収集空間３０６内に沈降させながら、流体が組織トラップ２４８内から吸い込まれることになる。材料の僅かしかフィルタ要素３１０に到達しないので、フィルタ要素３１０が塞がる可能性が低減し、マニホールド２４２の操作寿命が延びることになる。
【００６０】
比較的高い吸引が吸引ライン５０を通して印加される高吸引モードでは、廃棄物流れの実質的に全て（すなわち、流体及び材料）が、バッフル２９８の遠位面に接触し、該遠位面によって分流される。この吸引レベルは、材料が組織トラップ２４８によって画定された材料収集空間の底に向かって降下し、該底内に収集するのを可能にする一方、流体がバッフル２９８を迂回し、フィルタ要素３１０の口部１２３内に吸い込まれるのを可能にするのに、十分である。フィルタ要素３１０の口部１２３に入る流体経路に混入された半固形及び固形物質は、フィルタ要素３１０の多孔性特徴部３１５によって捕捉され、流体は、マニホールド空間６５と流体連通するキャニスタ２８，３０の１つ内に引き込まれる。フィルタ要素３１０の多孔性特徴部３１５の少なくともいくつかが流体内に混入された材料１５０によって閉塞された後、材料１５０は、マニホールド２４２の底の近くの材料収集空間３０６内に収集されることになる。
【００６１】
［ＩＶ．代替的実施形態］
前述の説明は、本出願に開示される特定の実施形態に向けられている。しかし、代替的実施形態も可能である。例えば、本開示のシステムの一部として用いられる前述の可動ユニットは、例示にすぎず、制限的なものでない。本システムに組み込まれる廃棄物収集ユニットの全てが、可動式でなくてもよく、又は２つの廃棄物収集ユニットキャニスタを備えていなくてもよい。同様に、本開示のシステムの他の態様が、マニホールドが廃棄物収集ユニットに装着された時にマニホールド重力面に対して適切な方位にあることを確実にするための代替的特徴部を備えていてもよい。例えば、廃棄収集ユニットが１つ又は複数の位置合せタブを備え、マニホールドハウジングが相補的な数の長孔を有するように形成されることも、本開示の範囲内にある。この場合、タブが長孔内に着座するようにマニホールドが配向され、これによって、正確な方位をもたらすように、長孔が位置決めされるとよい。本開示の他の態様においても、マニホールド受器が非対称的な孔を有すると共にマニホールドハウジングが相補的な非対称な形状を有することが望ましい。ここでも、マニホールドを孔内に着座させることによって、マニホールドが正確な方位を有することが確実になる。
【００６２】
特徴部の全てが本開示の全ての態様に設けられていないくてもよい。例えば、本開示のいくつかのマニホールドは、吸引ラインを受け入れるための単一の接続具しか有していなくてもよい。同様に、滴ストッパを必ずしもマニホールドハウジングの出口開口内に装着する必要がない。引き込まれた廃棄物の容積を測定するための手段を設けるために組織トラップが配置される本開示の態様では、マニホールドは、必ずしもフィルタを備える必要がない。マニホールドの全ての態様が、ブリスタを備えていなくてもよい。ブリスタは、第２の実施形態以外の実施形態におけるマニホールドに組み込まれてもよい。本開示のこの態様に関して、マニホールドは、所望の触覚フィードバックをもたらすために単一のブリスタ又は３つ以上のブリスタを備えることも可能である。スノーケル区域を有するフィルタは、第２及び第３の実施形態のマニホールド、並びに沈降チャンバを備えないマニホールドに組み込まれてもよい。同様に、本開示のマニホールドの種々の特徴は、互いに組み合わされてもよい。本開示の範囲内において、組織トラップ及び分流器は、マニホールドの第１及び第２の実施形態において個別に又は一緒に組み込まれてもよい。同様に、組織トラップ及び分流器は、開示されたフィルタ要素のいずれかと個別に又は一緒に組み合わされてもよい。
【００６３】
廃棄物流れを組織トラップ内に導くために用いられる分流器の構造は、ここに記載されているものと異なっていてもよい。本開示のいくつかの態様では、分流器は、マニホールドハウジング内に成形された１つ以上のパネルの組であってもよい。これらのパネルは、廃棄物流れがフィルタ要素及び出口開口を通る前に該廃棄物流れを組織トラップ内に導くように配置される表面を備えている。同様に、ピンの代替例として、分流器の保持部材は、凹みを備える非直線状表面を有していてもよい。凹みは、フィルタに代わって廃棄物を捕捉するポケットとして機能するとよい。
【００６４】
前述の記載において、いくつかの実施形態が検討されている。しかし、本明細書において検討された実施形態は、包括的であることが意図されず、又は本開示を任意の特定の形態に制限するものではない。用いられた専門用語は、説明するためのものであり、制限するためのものではない。前述の示唆に照らしてして多くの修正及び変更が可能であり、本開示は、具体的に記載された以外の方法によって実施されてもよい。
【図１】
2020509886.tif 000003
【図２】
2020509886.tif 000004
【図３】
2020509886.tif 000005
【図４】
2020509886.tif 000006
【図５】
2020509886.tif 000007
【図６】
2020509886.tif 000008
【図７】
2020509886.tif 000009
【図８】
2020509886.tif 000010
【図９】
2020509886.tif 000011
【図１０】
2020509886.tif 000012
【図１１】
2020509886.tif 000013
【図１２】
2020509886.tif 000014
【図１３】
2020509886.tif 000015
【図１４】
2020509886.tif 000016
【図１５】
2020509886.tif 000017
【図１６】
2020509886.tif 000018
【図１７】
2020509886.tif 000019
【図１８】
2020509886.tif 000020
【図１９】
2020509886.tif 000021
【図２０】
2020509886.tif 000022
【図２１】
2020509886.tif 000023
【図２２】
2020509886.tif 000024
【図２３】
2020509886.tif 000025
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
医療／外科用廃棄物収集システムのためのマニホールドであって、
マニホールド空間を画定する少なくとも１つの側壁と遠位端を画定する遠位部分とを備えるハウジングであって、前記遠位部分の前記遠位端から近位側に延在する長軸を備える、ハウジングと、
前記ハウジングの近位部分内に位置し、前記マニホールド空間と流体連通する出口開口と、
前記ハウジング内に位置するフィルタ要素であって、基部と、前記出口開口に対して前記基部の反対側に位置する口部と、前記基部と前記口部との間に延在するバスケットと、前記バスケット内の多孔性特徴部と、を備える、フィルタ要素と、
前記マニホールド空間と流体連通する孔を画定する少なくとも１つの接続具であって、前記接続具は、流体を前記マニホールド空間内に吸い込むための吸引ラインを受け入れるように構成され、前記接続具の前記孔から前記マニホールド空間を通り、前記フィルタ要素を横切って前記出口開口に至る流体連通経路が確立され、前記多孔性特徴部は，前記流体が前記流体連通経路を通って吸い込まれた時に前記流体内に混入された材料を捕捉するように、構成されている、少なくとも１つの接続具と、
前記ハウジング内に材料収集空間を少なくとも部分的に画定するために、前記少なくとも１つの側壁から下方に延在する突出部であって、前記材料収集空間は、前記接続具の前記孔と前記フィルタ要素の前記口部との間に軸方向に少なくとも部分的に位置し、前記長軸に対して前記フィルタ要素の前記バスケットの反対側に更に位置し、前記流体及び前記材料が前記流体連通経路を通って吸い込まれた時、前記材料が前記材料収集空間内に収集される、突出部と、
を備える、マニホールド。
【請求項２】
前記突出部は、前記少なくとも１つの側壁から下方に延在する第１の表面と、前記第１の表面から前記ハウジングの前記遠位端に遠位側に延在する第２の表面とを更に備え、前記第１及び第２の表面は、前記材料収集空間の少なくとも一部を画定している、請求項１に記載のマニホールド。
【請求項３】
前記突出部から構成される組織トラップを更に備え、前記組織トラップ及び前記ハウジングは、前記材料収集空間内に収集された前記材料の回収を可能にするために、前記組織トラップを前記ハウジングに取外し可能に連結する相補的連結機構を備える、先行する請求項のいずれかに記載のマニホールド。
【請求項４】
前記ハウジング内に分流器を更に備え、前記分流器は、前記接続具の前記孔と前記流体連通経路内に配置される前記フィルタ要素の前記口部との間に軸方向に位置し、前記分流器は、前記流体連通経路を通って吸い込まれた前記流体及び前記材料の少なくとも一部を前記材料収集空間に向かって導くように構成されている、先行する請求項のいずれかに記載のマニホールド。
【請求項５】
前記分流器は、前記ハウジングに連結されたバッフルである、請求項４に記載のマニホールド。
【請求項６】
前記分流器の遠位面に連結された保持部材を更に備え、前記保持部材は、前記流体連通経路内の破片を保持するように構成されている、請求項４又は５に記載のマニホールド。
【請求項７】
前記保持部材は、ピンである、請求項６に記載のマニホールド。
【請求項８】
前記フィルタ要素は、前記バスケットに連結された多孔性特徴部を備えるスノーケルを更に備え、前記スノーケルは、前記接続具の前記孔と前記フィルタ要素の前記口部との間に軸方向に少なくとも部分的に位置し、前記長軸に対して前記材料収集空間の反対側に更に位置し、前記バスケット及び前記スノーケルは、各々、前記多孔性特徴部を備える、先行する請求項のいずれかに記載のマニホールド。
【請求項９】
前記スノーケルは、管状壁及び前記管状壁の端に連結された遠位面を備える、請求項８に記載のマニホールド。
【請求項１０】
前記スノーケルの前記多孔性特徴部は、前記遠位面及び前記管状壁を貫通している、請求項９に記載のマニホールド。
【請求項１１】
前記バスケットは、バスケット空洞を画定し、前記スノーケルは、スノーケル空洞を画定し、前記空洞は、それぞれ、前記出口開口と流体連通し、互いに分離されており、前記孔から前記スノーケル空洞を通って前記出口開口に至る第２の流体連通経路が確立されている、請求項８−１０のいずれかに記載のマニホールド。
【請求項１２】
前記ハウジングに連結され、前記ハウジングの外面から半径方向外方に延在するブリスタを更に備え、前記ブリスタは、前記マニホールドが前記医療／外科用廃棄物収集システムに動作可能に連結されるのに応じて圧縮され、前記医療／外科用廃棄物収集システムに対する前記マニホールドの回転を防ぐように、構成されている、先行する請求項のいずれかに記載のマニホールド。
【請求項１３】
前記バスケットは、円筒状であり、前記円筒状バスケットから延在する環状ヘッドを更に備え、前記環状ヘッドは、前記多孔性特徴部を備える、先行する請求項のいずれかに記載のマニホールド。
【請求項１４】
前記環状ヘッドは、円錐台の形状にある、請求項１３に記載のマニホールド。
【請求項１５】
医療／外科用廃棄物収集システムのためのマニホールドであって、
マニホールド空間を画定する少なくとも１つの側壁を備えるハウジングと、
前記マニホールド空間と流体連通する出口開口と、
前記ハウジング内に位置するフィルタ要素であって、基部と、前記出口開口に対して前記基部の反対側に位置する口部と、前記基部と前記口部との間に延在するバスケットと、前記バスケット内の多孔性特徴部と、を備える、フィルタ要素と、
前記マニホールド空間と流体連通する孔を画定する少なくとも１つの接続具であって、前記接続具は、流体を前記マニホールド空間内に吸い込むための吸引ラインを受け入れるように構成され、前記接続具の前記孔から前記マニホールド空間を通り、前記フィルタ要素を横切って前記出口開口に到る流体連通経路が確立され、前記フィルタ要素の前記多孔性特徴部は、前記流体が前記流体連通経路を通って吸い込まれた時に前記流体に混入された材料を捕捉するように、構成されている、少なくとも１つの接続具と、
前記ハウジングの遠位部分に取外し可能に連結された組織トラップであって、前記組織トラップは、前記少なくとも１つの接続具の前記孔の近位端と前記フィルタ要素の前記口部との間に軸方向に少なくとも部分的に位置し、前記組織トラップは、前記フィルタ要素の下方に材料収集空間を画定し、前記流体及び前記材料が前記流体連通経路を通って吸い込まれた時、前記材料が前記組織トラップ内に収集される、組織トラップと、
を備える、マニホールド。
【請求項１６】
前記組織トラップ及び前記ハウジングは、前記組織トラップ内に収集された前記材料の回収を可能にするために、前記組織トラップを前記ハウジングの外部に取外し可能に連結する相補的連結特徴部を更に備える、請求項１５に記載のマニホールド。
【請求項１７】
前記組織トラップは、実質的に円錐状又はピラミッド状である、請求項１５又は１６に記載のマニホールド。
【請求項１８】
前記組織トラップは、少なくとも部分的に透明であり、前記組織トラップ内に収集された前記材料の体積を特定するための目盛を更に備える、請求項１５−１７のいずれかに記載のマニホールド。
【請求項１９】
前記フィルタ要素は、前記バスケットに連結されたスノーケルを更に備え、前記スノーケルは、前記接続具の前記孔と前記フィルタ要素の前記口部との間に軸方向に少なくとも部分的に位置し、前記長軸に対して前記材料収集空間の反対側に更に位置し、前記バスケット及び前記スノーケルは、各々、前記多孔性特徴部を備える、請求項１５−１８のいずれかに記載のマニホールド。
【請求項２０】
前記スノーケルは、管状壁及び前記管状壁の端に連結された遠位面を備える、請求項１９に記載のマニホールド。
【請求項２１】
前記スノーケルの前記多孔性特徴部は、前記遠位面及び前記管状壁を貫通している、請求項２０に記載のマニホールド。
【請求項２２】
前記バスケットは、バスケット空洞を画定し、前記スノーケルは、スノーケル空洞を画定し、前記空洞は、それぞれ、前記出口開口と流体連通し、互いに分離しており、前記孔から前記スノーケル空洞を通って前記出口開口に至る第２の流体連通経路が確立されている、請求項２０又は２１に記載のマニホールド。
【請求項２３】
前記ハウジング内に分流器を更に備え、前記分流器は、前記接続具の前記孔と前記流体連通経路内に配置される前記フィルタ要素の前記口部との間に軸方向に位置し、前記分流器は、前記流体連通経路を通って吸い込まれた前記流体及び前記材料の少なくとも一部を前記材料収集空間に向かって導くように構成されている、請求項１５−２２のいずれかに記載のマニホールド。
【請求項２４】
医療／外科用廃棄物収集システムのためのマニホールドであって、
マニホールド空間を画定するハウジングと、
前記マニホールド空間と流体連通する出口開口と、
前記マニホールド空間と流体連通する孔を画定する少なくとも１つの接続具と、
前記ハウジング内に位置するフィルタ要素であって、前記フィルタ要素は、基部と、前記出口開口に対して前記基部と反対側に位置する口部と、前記基部と前記口部との間に延在し、前記出口開口と流体連通するバスケット空洞を画定するバスケットとを備え、前記接続具の前記孔から前記マニホールド空洞を通り、前記バスケットを横切って前記出口開口に至る流体連通経路が確立されている、フィルタ要素と、
前記バスケットに連結されたスノーケルであって、前記スノーケルは、前記接続具の前記孔と前記フィルタ要素の前記口部との間に軸方向に少なくとも部分的に位置し、前記スノーケルは、前記出口開口と流体連通するスノーケル空洞を画定し、前記スノーケル空洞は、前記バスケット空洞から分離しており、前記バスケット及び前記スノーケルは、各々、前記多孔性特徴部を備える、スノーケルと、
を備える、マニホールド。
【請求項２５】
前記孔から前記スノーケルの前記スノーケル空洞を通って前記出口開口に至る第２の流体連通経路が確立され、前記バスケットの前記多孔性特徴部の実質的に全てが捕捉された前記材料によって閉塞され、且つ前記バスケット空洞が前記材料によって実質的に満たされた後、前記第２の流体連通経路を通る吸引が維持され、前記流体を前記第２の流体連通経路内に吸い込むようになっている、請求項２４に記載のマニホールド。
【請求項２６】
前記スノーケルは、管状壁及び前記管状壁に連結された遠位面を備え、前記スノーケルは、前記フィルタ口部に対して略凸状であり、前記フィルタバスケットは、前記フィルタ口部に対して略凹状である、請求項２４又は２５に記載のマニホールド。
【請求項２７】
前記フィルタ口部は、フィルタ口面を画定し、前記スノーケルは、、前記フィルタ口面から遠位側に延在し、前記フィルタバスケットは、前記フィルタ口面から近位側に延在している、請求項２４−２６のいずれかに記載のマニホールド。
【請求項２８】
突出部から構成される組織トラップを更に備え、前記組織トラップ及び前記ハウジングは、前記材料収集空間内に収集された材料の回収を可能にするために、前記組織トラップを前記ハウジングに取外し可能に連結する相補的連結特徴部を備える、請求項２４−２７のいずれかに記載のマニホールド。
【請求項２９】
医療／外科用廃棄物収集システムのためのマニホールドであって、
マニホールド空洞を連携して画定する少なくとも１つの側壁と面プレートとを備えるハウジングであって、前記マニホールドの長軸が前記面プレートから近位側に延在している、ハウジングと、
前記ハウジングの近位部分内に位置し、前記マニホールド空洞と流体連通する出口開口と、
前記ハウジング内に位置するフィルタ要素であって、前記フィルタ要素は、基部と、前記出口開口に対して前記基部の反対側に位置し、前記面プレートから離間した口部と、前記基部と前記口部との間に延在するバスケットと、前記バスケット内の多孔性特徴部とを備え、前記バスケットの底が前記長軸から第１の距離にある軸上に画定されている、フィルタ要素と、
前記マニホールド空間と流体連通する孔を画定する少なくとも１つの接続具であって、前記接続具は、流体を前記マニホールド空間内に吸い込むための吸引ラインを受け入れるように構成され、前記接続具の前記孔から前記マニホールド空間を通り、前記フィルタ要素を横切って前記出口開口に至る流体連通経路が確立され、前記多孔性特徴部は，前記流体が前記流体連通経路を通って吸い込まれた時に前記流体内に混入された材料を捕捉するように、構成されている、少なくとも１つの接続具と、
前記ハウジング内に材料収集空間を少なくとも部分的に画定するために、前記少なくとも１つの側壁から延在する突出部であって、前記突出部は、移行部と、前記移行部に連結され、前記長軸から第２の距離に位置する表面とを備え、前記第２の距離は、前記第１の距離よりも長く、前記流体及び材料が前記流体連通経路を通って吸い込まれた時、前記材料は、前記フィルタ要素の前記口部に達する前に、前記材料収集空間内に収集される、突出部と、
を備える、マニホールド。
【請求項３０】
前記材料収集空間の深さは、前記第１の距離と前記第２の距離との差として規定されている、請求項２９に記載のマニホールド。
【請求項３１】
前記材料収集空間の長さは、前記面プレートと前記フィルタ要素の前記口部との間に規定されている、請求項２９又は３０に記載のマニホールド。
【請求項３２】
前記突出部の前記表面は、第１の面であり、前記移行部は、前記第１の面から遠位側に延在する第２の面から構成され、前記第１の面及び前記第２の面は、前記材料収集空間の少なくとも一部を画定している、請求項２９−３１のいずれかに記載のマニホールド。
【請求項３３】
前記突出部は、組織トラップに取外し可能に連結されるようになっており、前記ハウジングの前記少なくとも１つの側壁は、前記組織トラップに取外し可能に連結する相補的連結特徴部を備え、前記ハウジングの前記少なくとも１つの側壁内の前記突出部によって、前記ハウジングを完全に分解することなく、前記材料収集空間内に収集された材料の回収が可能になる、請求項２９−３２のいずれかに記載のマニホールド。
【請求項３４】
前記フィルタ要素は、前記バスケットに連結されたスノーケルを更に備え、前記スノーケルは、前記接続具の前記孔と前記フィルタ要素の前記口部との間に軸方向に少なくとも部分的に位置し、前記長軸に対して前記材料収集空間の反対側に更に位置し、前記バスケット及び前記スノーケルは、各々、多孔性特徴部を備える、請求項２９−３３のいずれかに記載のマニホールド。
【請求項３５】
前記バスケットは、バスケット空洞を画定し、前記スノーケルは、スノーケル空洞を画定し、前記空洞は、それぞれ、前記出口開口と流体連通し、互いに分離されており、前記孔から前記スノーケル空洞を通って前記出口開口に至る第２の流体連通経路が確立され、
前記マニホールドは、前記ハウジング内に分流器を更に備え、前記分流器は、前記接続具の前記孔と前記流体連通経路内に配置される前記フィルタ要素の前記口部との間に軸方向に位置し、前記分流器は、前記流体連通経路を通って吸い込まれた前記流体及び前記材料の少なくとも一部を前記材料収集空間に向かって導くように構成されている、請求項２９−３４のいずれかに記載のマニホールド。
【請求項３６】
前記突出部は、移行部と、前記移行部に連結され、前記長軸から第２の距離に位置する表面とを備え、前記第２の距離は、前記第１の距離よりも大きく、前記流体及び材料が前記流体連通経路を通って吸い込まれた時、前記材料が前記フィルタ要素に達する前に前記材料収集空間内に収集されるようになっている、請求項１−１４のいずれかに記載のマニホールド。
【国際調査報告】
2020509886.tif 000026
2020509886.tif 000027
2020509886.tif 000028
2020509886.tif 000029